(57)【要約】【課題】無線通信システムにおいて同期信号を送受信する方法及びそのための装置が開示される。【解決手段】同期信号を送受信して同期化を行う方法において、基地局から、ＰＳＳ及びＳＳＳを受信する過程と、受信されたＰＳＳ及び受信されたＳＳＳを用いて同期化を行う過程とを含み、ＳＳＳに対するシーケンスは、第１シーケンスと第２シーケンスとの積により生成され、第１シーケンスの数は、第２シーケンスの数より大きく設定される。【選択図】図１１
2019528591.tif 000002
【特許請求の範囲】
【請求項１】
無線通信システムにおいて端末が同期化を行う方法であって、
基地局から、ＰＳＳ（Primary  Synchronization  Signal）及びＳＳＳ（Secondary  Synchronization  Signal）を受信する過程と、
前記受信されたＰＳＳ及び前記受信されたＳＳＳを利用して同期化を行う過程と、を含み、
前記ＳＳＳに対するシーケンスは、第１シーケンスと第２シーケンスとの積により生成され、
前記第１シーケンスの数は、前記第２シーケンスの数より大きく設定されることを特徴とする、方法。
【請求項２】
前記ＳＳＳに対するシーケンスの数は、セル識別子（cell  identifier）の数と同一に設定されることを特徴とする、請求項１に記載の方法。
【請求項３】
前記セル識別子の数は、前記第１シーケンスの数と前記第２シーケンスの数との積と同一であることを特徴とする、請求項２に記載の方法。
【請求項４】
前記第１シーケンスと前記第２シーケンスとの積は、前記第１シーケンスの各要素（element）と前記第２シーケンスの各要素との積であることを特徴とする、請求項２に記載の方法。
【請求項５】
前記第１シーケンスの長さ及び前記第２シーケンスの長さは、それぞれ前記ＳＳＳに対するシーケンスの長さと同一であることを特徴とする、請求項２に記載の方法。
【請求項６】
前記第１シーケンス及び前記第２シーケンスのいずれか１つは、Ｍシーケンスであることを特徴とする、請求項５に記載の方法。
【請求項７】
前記Ｍシーケンスは、特定の初期値及び特定の循環シフト（cyclic  shift）に基づいて生成されることを特徴とする、請求項６に記載の方法。
【請求項８】
前記ＰＳＳに対するシーケンスのための多項式は、前記第１シーケンスのための第１多項式と前記第２シーケンスのための第２多項式のうちいずれか１つと同一に設定されることを特徴とする、請求項２に記載の方法。
【請求項９】
前記ＰＳＳに対するシーケンスのための多項式がｘ（ｎ）である場合、ｘ（０）は０で、ｘ（１）は１で、ｘ（２）は１で、ｘ（３）は０で、ｘ（４）は１で、ｘ（５）は１で、ｘ（６）は１であり、
前記第１多項式がｘ０（ｎ）である場合、ｘ０（０）は1で、ｘ０（１）は０で、ｘ０（２）は０で、ｘ０（３）は０で、ｘ０（４）は０で、ｘ０（５）は０で、ｘ０（６）は０であり、
前記第２多項式がｘ１（ｎ）である場合、ｘ１（０）は１で、ｘ１（１）は０で、ｘ１（２）は０で、ｘ１（３）は０で、ｘ１（４）は０で、ｘ１（５）は０で、ｘ１（６）は０であることを特徴とする、請求項８に記載の方法。
【請求項１０】
前記ＳＳＳは、ＰＢＣＨ（Physical  Broadcast  Channel）と連続して受信され、
前記ＳＳＳに適用される巡回プレフィックス（cyclic  prefix）と前記ＰＢＣＨに適用される巡回プレフィックスは同一に設定されることを特徴とする、請求項６に記載の方法。
【請求項１１】
無線通信システムにおいて同期化を行う端末であって、
無線信号を送受信するための送受信部と、
前記送受信部と機能的に接続されているプロセッサと、を含み、
前記プロセッサは、
基地局から、ＰＳＳ（Primary  Synchronization  Signal）及びＳＳＳ（Secondary  Synchronization  Signal）を受信し、
前記受信されたＰＳＳ及び前記受信されたＳＳＳを利用して同期化を行うように制御し、
前記ＳＳＳに対するシーケンスは、第１シーケンスと第２シーケンスとの積により生成され、
前記第１シーケンスの数は、前記第２シーケンスの数より大きく設定されることを特徴とする、端末。
【請求項１２】
前記ＳＳＳに対するシーケンスの数は、セル識別子（cell  identifier）の数と同一に設定されることを特徴とする、請求項１１に記載の端末。
【請求項１３】
前記セル識別子の数は、前記第１シーケンスの数と前記第２シーケンスの数との積と同一であることを特徴とする、請求項１２に記載の端末。
【請求項１４】
前記第１シーケンスと前記第２シーケンスとの積は、前記第１シーケンスの各要素（element）と前記第２シーケンスの各要素との積であることを特徴とする、請求項１２に記載の端末。
【請求項１５】
前記第１シーケンスの長さ及び前記第２シーケンスの長さは、前記ＳＳＳに対するシーケンスの長さと同一であることを特徴とする、請求項１２に記載の端末。
【請求項１６】
前記第１シーケンス及び前記第２シーケンスのいずれか１つは、Ｍシーケンスであることを特徴とする、請求項１５に記載の端末。
【発明の詳細な説明】
【技術分野】
【０００１】
本発明は、無線通信システムに関し、より詳しくは端末が同期信号（synchronization  signal）を送受信するための方法及びこれを支援する装置に関する。
【背景技術】
【０００２】
移動通信システムは、ユーザの活動性を保証しながら音声サービスを提供するために開発された。しかしながら、移動通信システムは音声だけでなく、データサービスまで領域を拡張し、現在には爆発的なトラフィックの増加によって資源の不足現象が引起こされ、ユーザがより高速のサービスを要求するので、より発展した移動通信システムが要求されている。
【０００３】
次世代の移動通信システムの要求条件は大きく、爆発的なデータトラフィックの収容、ユーザ当たり転送率の画期的な増加、大幅増加した連結デバイス個数の収容、非常に低い端対端遅延（End-to-End  Latency）、高エネルギー効率を支援できなければならない。そのために、二重連結性（Dual  Connectivity）、大規模多重入出力（Massive  MIMO：Massive  Multiple  Input  Multiple  Output）、全二重（In-band  Full  Duplex）、非直交多重接続（ＮＯＭＡ：Non-Orthogonal  Multiple  Access）、超広帯域（Super  wideband）支援、端末ネットワーキング（Device  Networking）など、多様な技術が研究されている。
【発明の概要】
【発明が解決しようとする課題】
【０００４】
本明細書は、無線通信システムにおいて同期信号を送受信する方法を提案する。
【０００５】
本明細書は、同期信号に適用されるサブキャリア間隔（subcarrier  spacing）、ＣＰ長（Cyclic  Prefix  length）、または帯域幅（bandwidth）などを考慮して同期信号のシーケンスを設定及び割り当てる方法を提案する。
【０００６】
より具体的に、本明細書は、同期信号（例えば、ＰＳＳ、ＳＳＳ）に適用されるサブキャリア間隔とデフォルトサブキャリア間隔（default  subcarrier  spacing）が同じか又は異なるように設定される場合、同期信号のシーケンスを生成及び資源領域にマッピング（mapping）する方法を提案する。
【０００７】
また、本明細書は、セル識別子（cell  identifier）を区分するために用いられる同期信号のシーケンス（例えば、ＰＳＳシーケンス、ＳＳＳシーケンス）を生成及び資源領域にマッピングする方法を提案する。
【０００８】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００９】
本発明の実施形態による無線通信システムにおいて端末が同期化（Synchronization）を行う方法において、前記方法は、基地局から、プライマリー同期信号（Primary  Synchronization  Signal：ＰＳＳ）及びセカンダリー同期信号（Secondary  Synchronization  Signal：ＳＳＳ）を受信する過程と、前記受信されたＰＳＳ及び前記受信されたＳＳＳを利用して同期化を行う過程とを含み、前記ＳＳＳに対するシーケンスは、第１シーケンスと第２シーケンスとの積（product）により生成され、前記第１シーケンスの数は、前記第２シーケンスの数より大きく設定される。
【００１０】
また、本発明の実施形態による前記方法において、前記ＳＳＳに対するシーケンスの数は、セル識別子の数と同一に設定できる。
【００１１】
また、本発明の実施形態による前記方法において、前記セル識別子の数は、前記第１シーケンスの数と前記第２シーケンスの数との積と同一でありうる。
【００１２】
また、本発明の実施形態による前記方法において、前記第１シーケンスと前記第２シーケンスとの積は、前記第１シーケンスの各要素（element）と前記第２シーケンスの各要素との積でありうる。
【００１３】
また、本発明の実施形態による前記方法において、前記第１シーケンスの長さ及び前記第２シーケンスの長さは、それぞれ前記ＳＳＳに対するシーケンスの長さと同一でありうる。
【００１４】
また、本発明の実施形態による前記方法において、前記第１シーケンス及び前記第２シーケンスのいずれか１つは、Ｍシーケンス（M  sequence）でありうる。
【００１５】
また、本発明の実施形態による前記方法において、前記Ｍシーケンスは、特定の初期値（initial  value）及び特定の循環シフト（cyclic  shift）に基づいて生成されることができる。
【００１６】
また、本発明の実施形態による前記方法において、前記ＰＳＳに対するシーケンスのための多項式（polynomial）は、前記第１シーケンスのための第１多項式と前記第２シーケンスのための第２多項式のいずれか１つと同一に設定されることができる。
【００１７】
また、本発明の実施形態による前記方法において、前記ＰＳＳに対するシーケンスのための多項式がｘ（ｎ）である場合、ｘ（０）は０で、ｘ（１）は１で、ｘ（２）は１で、ｘ（３）は０で、ｘ（４）は１で、ｘ（５）は１で、ｘ（６）は１であり、前記第１多項式がｘ０（ｎ）である場合、ｘ０（０）は１で、ｘ０（１）は０で、ｘ０（２）は０で、ｘ０（３）は０で、ｘ０（４）は０で、ｘ０（５）は０で、ｘ０（６）は０であり、前記第２多項式がｘ１（ｎ）である場合、ｘ１（０）は１で、ｘ１（１）は０で、ｘ１（２）は０で、ｘ１（３）は０で、ｘ１（４）は０で、ｘ１（５）は０で、ｘ１（６）は０でありうる。
【００１８】
また、本発明の実施形態による前記方法において、前記ＳＳＳは、ＰＢＣＨ（Physical  Broadcast  Channel）と連続して受信され、前記ＳＳＳに適用される巡回プレフィックス（cyclic  prefix）と前記ＰＢＣＨに適用される巡回プレフィックスは同一に設定されることができる。
【００１９】
また、本発明の実施形態による無線通信システムにおいて同期化を行う端末において、前記端末は、無線信号を送受信するための送受信部と、前記送受信部と機能的に接続されているプロセッサとを含み、前記プロセッサは、基地局から、ＰＳＳおよびＳＳＳを受信し、前記受信されたＰＳＳ及び前記受信されたＳＳＳを利用して同期化を行うように制御し、前記ＳＳＳに対するシーケンスは、第１シーケンスと第２シーケンスとの積により生成され、前記第１シーケンスの数は、前記第２シーケンスの数より大きく設定される。
【００２０】
また、本発明の実施形態による前記端末において、前記ＳＳＳに対するシーケンスの数は、セル識別子の数と同一に設定されることができる。
【００２１】
また、本発明の実施形態による前記端末において、前記セル識別子の数は、前記第１シーケンスの数と前記第２シーケンスの数との積と同一でありうる。
【００２２】
また、本発明の実施形態による前記端末において、前記第１シーケンスと前記第２シーケンスとの積は、前記第１シーケンスの各要素と前記第２シーケンスの各要素との積でありうる。
【００２３】
また、本発明の実施形態による前記端末において、前記第１シーケンスの長さ及び前記第２シーケンスの長さは、前記ＳＳＳに対するシーケンスの長さと同一でありうる。
【００２４】
また、本発明の実施形態による前記端末において、前記第１シーケンス及び前記第２シーケンスのいずれか１つは、Ｍシーケンスでありうる。
【発明の効果】
【００２５】
本発明の実施形態によると、プライマリー同期信号（ＰＳＳ）とセカンダリー同期信号（ＳＳＳ）に対して同一のサブキャリア間隔又は相異なるサブキャリア間隔が適用される場合にも高い相関（correlation）性能を維持できるという効果がある。
【００２６】
また、本発明の実施形態によると、同期信号のシーケンスを生成する場合に短いシーケンス（short  sequence）ではなく長いシーケンス（long  sequence）を用いることにより、ゴースト効果（ghost  effect）を防止し、相互相関（cross-correlation）性能を高めることができるという効果がある。
【００２７】
また、本発明の実施形態によると、同期信号のシーケンスを生成する場合、生成に用いられる相異なる２つのシーケンスに対する候補（candidate）数を異なるように設定（すなわち、２つのシーケンスの候補数を不均等に設定）することにより、相互相関性能を高めることができるという効果がある。
【００２８】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００２９】
本発明に関する理解を助けるために詳細な説明の一部として含まれる添付図面は、本発明に対する実施形態を提供し、詳細な説明と共に本発明の技術的特徴を説明する。
【００３０】
【図１】本明細書で提案する方法が適用できるＮＲの全体的なシステム構造の一例を示したである。
【図２】本明細書で提案する方法が適用できる無線通信システムにおけるアップリンクフレームとダウンリンクフレームとの間の関係を示す。
【図３】本明細書で提案する方法が適用できる無線通信システムで支援する資源グリッド（resource  grid）の一例を示す。
【図４】本明細書で提案する方法が適用できるアンテナポート及びヌメロロジー別の資源グリッドの例を示す。
【図５】本明細書で提案する方法が適用できる自己完結型（self-contained）サブフレーム構造の一例を示す。
【図６】本明細書で提案する方法が適用できる同期信号の転送方法の一例を示す。
【図７】本明細書で提案する方法が適用できる同期信号の転送方法の他の例を示す。
【図８】本明細書で提案する方法が適用できる同期信号の転送方法のさらに他の例を示す。
【図９】本明細書で提案する方法が適用できる同期信号の転送方法のさらに他の例を示す。
【図１０】本明細書で提案する方法が適用できる同期信号の転送方法のさらに他の例を示す。
【図１１】本明細書で提案する方法が適用できる同期信号の送受信により同期化を行う端末の動作フローチャートを示す。
【図１２】本明細書で提案する方法が適用できる無線通信装置のブロック構成図を示す。
【発明を実施するための形態】
【００３１】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は本発明がこのような具体的な細部事項無しでも実施できることが分かる。
【００３２】
幾つかの場合、本発明の概念が曖昧になることを避けるために公知の構造及び装置は省略されるか、または各構造及び装置の核心機能を中心としたブロック図形式に図示できる。
【００３３】
本明細書で、基地局は端末と直接的に通信を遂行するネットワークの終端ノード（terminal  node）としての意味を有する。本文書で、基地局により遂行されるものとして説明された特定動作は、場合によっては、基地局の上位ノード（upper  node）により遂行されることもできる。即ち、基地局を含む多数のネットワークノード（network  nodes）からなるネットワークで、端末との通信のために遂行される多様な動作は基地局または基地局の以外の他のネットワークノードにより遂行できることは自明である。‘基地局（ＢＳ：Base  Station）’は、固定局（fixed  station）、Ｎｏｄｅ  Ｂ、ｅＮＢ（evolved-NodeB）、ＢＴＳ（base  transceiver  system）、アクセスポイント（ＡＰ：Access  Point）、ｇＮＢ（next  generation  NB,  general  NB,  gNodeB）などの用語により取替できる。また、‘端末（Terminal）’は固定されるか、または移動性を有することができ、ＵＥ（User  Equipment）、ＭＳ（Mobile  Station）、ＵＴ（user  terminal）、ＭＳＳ（Mobile  Subscriber  Station）、ＳＳ（Subscriber  Station）、ＡＭＳ（Advanced  Mobile  Station）、ＷＴ（Wireless  terminal）、ＭＴＣ（Machine-Type  Communication）装置、Ｍ２Ｍ（Machine-to-Machine）装置、Ｄ２Ｄ（Device-to-Device）装置などの用語に取替できる。
【００３４】
以下、ダウンリンク（ＤＬ：downlink）は基地局から端末への通信を意味し、アップリンク（ＵＬ：uplink）は端末から基地局への通信を意味する。ダウンリンクで、送信機は基地局の一部であり、受信機は端末の一部でありうる。アップリンクで、送信機は端末の一部であり、受信機は基地局の一部でありうる。
【００３５】
以下の説明で使われる特定用語は本発明の理解を助けるために提供されたものであり、このような特定用語の使用は本発明の技術的思想を逸脱しない範囲で異なる形態に変更できる。
【００３６】
以下の技術は、ＣＤＭＡ（code  division  multiple  access）、ＦＤＭＡ（frequency  division  multiple  access）、ＴＤＭＡ（time  division  multiple  access）、ＯＦＤＭＡ（orthogonal  frequency  division  multiple  access）、ＳＣ−ＦＤＭＡ（single  carrier  frequency  division  multiple  access）、ＮＯＭＡ（non-orthogonalmultipleaccess）などの多様な無線接続システムに利用できる。ＣＤＭＡは、ＵＴＲＡ（universal  terrestrial  radio  access）やＣＤＭＡ２０００のような無線技術（radio  technology）で具現できる。ＴＤＭＡは、ＧＳＭ（global  system  for  mobile  communications）／ＧＰＲＳ（general  packet  radio  service）／ＥＤＧＥ（enhanced  data  rates  for  GSM  evolution）のような無線技術で具現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（evolved  UTRA）などの無線技術で具現できる。ＵＴＲＡは、ＵＭＴＳ（universal  mobile  telecommunications  system）の一部である。３ＧＰＰ（3rd  generation  partnership  project）  ＬＴＥ（long  term  evolution）は、Ｅ−ＵＴＲＡを使用するＥ−ＵＭＴＳ（evolved  UMTS）の一部であって、ダウンリンクでＯＦＤＭＡを採用し、アップリンクでＳＣ−ＦＤＭＡを採用する。ＬＴＥ−Ａ（advanced）は３ＧＰＰ  ＬＴＥの進化である。
【００３７】
本発明の実施形態は無線接続システムであるＩＥＥＥ  ８０２、３ＧＰＰ、及び３ＧＰＰ２のうち、少なくとも１つに開示された標準文書により裏付けられる。即ち、本発明の実施形態のうち、本発明の技術的思想を明確に示すために説明しないステップまたは部分は前記文書により裏付けられる。また、本文書で開示している全ての用語は前記標準文書により説明できる。
【００３８】
説明を明確にするために、３ＧＰＰ  ＬＴＥ／ＬＴＥ−Ａ／ＮＲ（New  RAT）を中心として技術（記述）するが、本発明の技術的特徴がこれに制限されるものではない。
【００３９】
スマートフォン（smartphone）及びＩｏＴ（Internet  Of  Things）端末の普及が速く拡散されることにより、通信網を介してやり取りする情報の量が増加している。これにより、次世代無線接続技術においては、既存の通信システム（又は、既存の無線接続技術（radio  access  technology））よりさらに多くのユーザにもっと速いサービスを提供する環境（例えば、向上した移動広帯域通信（enhanced  mobile  broadband  communication））が考慮される必要がある。
【００４０】
このために、多数の機器及び事物（object）を連結してサービスを提供するＭＴＣ（Machine  Type  Communication）を考慮する通信システムのデザインが議論されている。また、通信の信頼性（reliability）及び／又は遅延（latency）に敏感なサービス及び／又は端末などを考慮する通信システム（例えば、ＵＲＬＬＣ（Ultra-Reliable  and  Low  Latency  Communication））のデザインも議論されている。
【００４１】
以下、本明細書において、説明の便宜のために、前記次世代無線接続技術はＮＲ（New  RAT（Radio  Access  Technology））と称され、前記ＮＲが適用される無線通信システムはＮＲシステムと称される。
【００４２】
用語の定義
【００４３】
ｅＬＴＥ  ｅＮＢ：ｅＬＴＥ  ｅＮＢは、ＥＰＣ及びＮＧＣに対する連結を支援するｅＮＢの進化（evolution）である。
【００４４】
ｇＮＢ：ＮＧＣとの連結だけでなく、ＮＲを支援するノード。
【００４５】
新たなＲＡＮ：ＮＲまたはＥ−ＵＴＲＡを支援するか、またはＮＧＣと相互作用する無線アクセスネットワーク。
【００４６】
ネットワークスライス（network  slice）：ネットワークスライスは、終端間の範囲と共に特定要求事項を要求する特定市場シナリオに対して最適化されたソリューションを提供するようにoperatorにより定義されたネットワーク。
【００４７】
ネットワーク機能（network  function）：ネットワーク機能は、よく定義された外部インターフェースとよく定義された機能的動作を有するネットワークインフラ内での論理的ノード。
【００４８】
ＮＧ−Ｃ：新たなＲＡＮとＮＧＣとの間のＮＧ２レファレンスポイント（reference  point）に使われる制御平面インターフェース。
【００４９】
ＮＧ−Ｕ：新たなRANとＮＧＣとの間のＮＧ３レファレンスポイント（reference  point）に使われるユーザ平面インターフェース。
【００５０】
非独立型（Non-standalone）ＮＲ：ｇＮＢがＬＴＥ  ｅＮＢをＥＰＣに制御プレーン連結のためのアンカーとして要求するか、またはｅＬＴＥ  ｅＮＢをNGCに制御プレーン連結のためのアンカーとして要求する配置構成。
【００５１】
非独立型Ｅ−ＵＴＲＡ：ｅＬＴＥ  ｅＮＢがＮＧＣに制御プレーン連結のためのアンカーとしてgNBを要求する配置構成。
【００５２】
ユーザ平面ゲートウェイ：NG-Uインターフェースの終端点。
【００５３】
システム一般
【００５４】
図１は、本明細書で提案する方法が適用できるNRの全体的なシステム構造の一例を示したである。
【００５５】
図１を参照すると、ＮＧ−ＲＡＮはＮＧ−ＲＡユーザ平面（新たなAS  sublayer／ＰＤＣＰ／ＲＬＣ／ＭＡＣ／ＰＨＹ）及びＵＥ（User  Equipment）に対する制御平面（ＲＲＣ）プロトコル終端を提供するｇＮＢで構成される。
【００５６】
前記ｇＮＢは、Ｘｎインターフェースを通じて相互連結される。
【００５７】
また、前記ｇＮＢは、ＮＧインターフェースを通じてＮＧＣに連結される。
【００５８】
より具体的には、前記ｇＮＢはＮ２インターフェースを通じてＡＭＦ（Access  and  Mobility  Management  Function）に、Ｎ３インターフェースを通じてＵＰＦ（User  Plane  Function）に連結される。
【００５９】
NR（New  Rat）ヌメロロジー（Numerology）及びフレーム（frame）構造
【００６０】
ＮＲシステムでは、多数のヌメロロジー（numerology）が支援できる。ここで、ヌメロロジーはサブキャリア間隔（subcarrier  spacing）とＣＰ（Cyclic  Prefix）オーバーヘッドにより定義できる。この際、多数のサブキャリア間隔は基本サブキャリア間隔を整数Ｎ（または、μ）にスケーリング（scaling）することにより誘導できる。また、非常に高い搬送波周波数で非常に低いサブキャリア間隔を利用しないと仮定されても、用いられるヌメロロジーは周波数帯域と独立的に選択できる。
【００６１】
また、ＮＲシステムでは多数のヌメロロジーに従う多様なフレーム構造が支援できる。
【００６２】
以下、ＮＲシステムで考慮できるＯＦＤＭ（Orthogonal  Frequency  Division  Multiplexing）ヌメロロジー及びフレーム構造を説明する。
【００６３】
ＮＲシステムで支援される多数のＯＦＤＭヌメロロジーは、表１のように定義できる。
【００６４】
【表１】
2019528591.tif 000003
【００６５】
ＮＲシステムにおけるフレーム構造（frame  structure）と関連して、時間領域の多様なフィールドのサイズは
2019528591.tif 000004
の時間単位の倍数として表現される。ここで、
2019528591.tif 000005
であり、
2019528591.tif 000006
である。ダウンリンク（downlink）及びアップリンク（uplink）転送は
2019528591.tif 000007
の区間を有する無線フレーム（radio  frame）で構成される。ここで、無線フレームは各々
2019528591.tif 000008
の区間を有する１０個のサブフレーム（subframe）で構成される。この場合、アップリンクに対する１セットのフレーム及びダウンリンクに対する１セットのフレームが存在することができる。
【００６６】
図２は、本明細書で提案する方法が適用できる無線通信システムにおけるアップリンクフレームとダウンリンクフレームとの間の関係を示す。
【００６７】
図２に示すように、端末（User  Equipment：ＵＥ）からのアップリンクフレーム番号ｉの転送は、  該当端末での該当ダウンリンクフレームの開始より
2019528591.tif 000009
以前に始めなければならない。
【００６８】
ヌメロロジーμに対して、スロット（slot）はサブフレーム内で
2019528591.tif 000010
の増加する順に番号が付けられて、無線フレーム内で
2019528591.tif 000011
の増加する順に番号が付けられる。１つのスロットは
2019528591.tif 000012
の連続するＯＦＤＭシンボルで構成され、
2019528591.tif 000013
は用いられるヌメロロジー及びスロット設定（slot  configuration）によって決定される。サブフレームでスロット
2019528591.tif 000014
の開始は同一サブフレームでＯＦＤＭシンボル
2019528591.tif 000015
の開始と時間的に整列される。
【００６９】
全ての端末が同時に送信及び受信できるものではなく、これはダウンリンクスロット（downlink  slot）またはアップリンクスロット（uplink  slot）の全てのＯＦＤＭシンボルが利用できないことを意味する。
【００７０】
表２はヌメロロジーμでの一般（normal）ＣＰに対するスロット当たりＯＦＤＭシンボルの数を示し、表３はヌメロロジーμでの拡張（extended）CPに対するスロット当たりＯＦＤＭシンボルの数を示す。
【００７１】
【表２】
2019528591.tif 000016
【００７２】
【表３】
2019528591.tif 000017
【００７３】
ＮＲ物理資源（NR  Physical  Resource）
【００７４】
ＮＲシステムにおける物理資源（physical  resource）と関連して、アンテナポート（antenna  port）、資源グリッド（resource  grid）、資源要素（resource  element）、資源ブロック（resource  block）、キャリアパート（carrier  part）などが考慮できる。
【００７５】
以下、ＮＲシステムで考慮できる前記物理資源に対して具体的に説明する。
【００７６】
まず、アンテナポートと関連して、アンテナポートはアンテナポート上のシンボルが運搬されるチャネルが同一なアンテナポート上の他のシンボルが運搬されるチャネルから推論できるように定義される。１つのアンテナポート上のシンボルが運搬されるチャネルの広範囲特性（large-scale  property）が他のアンテナポート上のシンボルが運搬されるチャネルから類推できる場合、２つのアンテナポートはＱＣ／ＱＣＬ（quasico-locatedまたはquasi  co-location）関係にいるということができる。ここで、前記広範囲特性は遅延拡散（Delay  spread）、ドップラー拡散（Doppler  spread）、周波数シフト（Frequency  shift）、平均受信パワー（Average  received  power）、受信タイミング（Received  Timing）のうち、１つ以上を含む。
【００７７】
図３は、本明細書で提案する方法が適用できる無線通信システムで支援する資源グリッド（resource  grid）の一例を示す。
【００７８】
図３を参考すると、資源グリッドが周波数領域上に
2019528591.tif 000018
サブキャリアで構成され、１つのサブフレームが１４・２μＯＦＤＭシンボルで構成されることを例示的に記述するが、これに限定されるものではない。
【００７９】
ＮＲシステムにおいて、転送される信号（transmitted  signal）は
2019528591.tif 000019
サブキャリアから構成される１つ又はそれ以上の資源グリッド及び
2019528591.tif 000020
のＯＦＤＭシンボルにより説明される。ここで、
2019528591.tif 000021
である。前記
2019528591.tif 000022
は、最大転送帯域幅を示し、これは、ヌメロロジーだけでなく、アップリンクとダウンリンク間にも変わることができる。
【００８０】
この場合、図４に示すように、ヌメロロジー
2019528591.tif 000023
及びアンテナポートｐ別に１つの資源グリッドが設定される。
【００８１】
図４は、本明細書で提案する方法が適用できるアンテナポート及びヌメロロジー別の資源グリッドの例を示す。
【００８２】
ヌメロロジー
2019528591.tif 000024
及びアンテナポートｐに対する資源グリッドの各要素は資源要素（resource  element）と称され、インデックス対
2019528591.tif 000025
により固有的に識別される。ここで、
2019528591.tif 000026
は周波数領域上のインデックスであり、
2019528591.tif 000027
はサブフレーム内でシンボルの位置を示す。スロットにおいて資源要素を示すときは、インデックス対
2019528591.tif 000028
が用いられる。ここで、
2019528591.tif 000029
である。
【００８３】
ヌメロロジー
2019528591.tif 000030
及びアンテナポートｐに対する資源要素
2019528591.tif 000031
は、複素値（complex  value）
2019528591.tif 000032
に該当する。混同（confusion）される危険がない場合、または、特定のアンテナポートまたはヌメロロジーが特定されない場合は、インデックスｐ及び
2019528591.tif 000033
はドロップ（drop）されることができ、その結果、複素値
2019528591.tif 000034
又は
2019528591.tif 000035
になることができる。
【００８４】
また、物理資源ブロック（physical  resource  block）は周波数領域上の
2019528591.tif 000036
連続的なサブキャリアとして定義される。周波数領域上で、物理資源ブロックは０から
2019528591.tif 000037
まで番号が付けられる。このとき、周波数領域上の物理資源ブロック番号（physical  resource  block  number）
2019528591.tif 000038
と資源要素
2019528591.tif 000039
間の関係は数式１のように与えられる。
【００８５】
【数１】
2019528591.tif 000040
【００８６】
また、キャリアパート（carrier  part）に関して、端末は資源グリッドのサブセット（subset）のみを利用して受信または転送するように設定されることができる。このとき、端末が受信または転送するように設定された資源ブロックの集合（set）は周波数領域上で０から
2019528591.tif 000041
まで番号が付けられる。
【００８７】
同期信号（Synchronization  Signal：ＳＳ）及びＳＳ／ＰＢＣＨブロック
【００８８】
（１）同期信号
【００８９】
物理層セル識別子（physical  layer  cell  identity）に関して、１００８個の物理層セル識別子は数式２にように与えられる。
【００９０】
【数２】
2019528591.tif 000042
【００９１】
数式２において、
2019528591.tif 000043
で、
2019528591.tif 000044
である。
【００９２】
また、プライマリー同期信号（ＰＳＳ）に関して、ＰＳＳのためのシーケンスｄＰＳＳ（ｎ）は数式３により定義される。
【００９３】
【数３】
2019528591.tif 000045
【００９４】
数式３において、ｘ（ｍ）（すなわち、ＰＳＳのシーケンスの生成のための多項式）は数式４のように設定され、初期値（すなわち、初期多項シフトレジスタ値（initial  poly  shift  register  value）、または初期条件（initial  condition））は、数式５のようである。
【００９５】
【数４】
2019528591.tif 000046
【００９６】
【数５】
2019528591.tif 000047
【００９７】
また、セカンダリー同期信号（ＳＳＳ）に関して、ＳＳＳのためのシーケンスｄＳＳＳ（ｎ）は数式６により定義される。
【００９８】
【数６】
2019528591.tif 000048
【００９９】
数式６において、ｘ０（ｍ）及びｘ１（ｍ）（すなわち、ＳＳＳのシーケンスの生成のための第１多項式及び第２多項式）は数式７のように設定され、初期値（すなわち、初期多項シフトレジスタ値は、それぞれ数式８のようである。
【０１００】
【数７】
2019528591.tif 000049
【０１０１】
【数８】
2019528591.tif 000050
【０１０２】
この場合、数式４及び数式７を参考すると、ＳＳＳのシーケンス生成のための多項式のうち１つ（すなわち、ｘ０（ｍ））は、ＰＳＳのシーケンス生成のための多項式（すなわち、ｘ（ｍ））と同一に設定される。ただ、ＰＳＳのシーケンス生成のための多項式の初期値とＳＳＳのシーケンス生成のための多項式の初期値は異なるように設定される。
【０１０３】
（２）ＳＳ／ＰＢＣＨブロック
【０１０４】
ＳＳ／ＰＢＣＨブロックの時間−周波数構造（time-frequency  structure）に関する内容について説明する。時間領域（time  domain）においてＳＳ／ＰＢＣＨブロックは０から３の順に番号付けされた４つのＯＦＤＭシンボルを構成する。また、周波数領域（frequency  domain）において、ＳＳ／ＰＢＣＨブロックは０から２８７の順に番号付けされた２４個の連続的な資源ブロックを構成し、最も低い数を有する資源ブロックから開始する。
【０１０５】
端末はＰＳＳ電力割り当て（power  allocation）に従うために要素
2019528591.tif 000051
によりスケーリングされ、資源要素
2019528591.tif 000052
に対してｋの増加順にマッピングされるＰＳＳを構成するシンボルのシーケンスｄＰＳＳ（０）、...、ｄＰＳＳ（１２６）を仮定する必要がある。ここで、ｋおよびｌは下記の表４により与えられ、それぞれＳＳ／ＰＢＣＨブロック内の周波数インデックス（frequency  index）及びタイムインデックス（time  index）を示す。
【０１０６】
また、端末は、ＳＳＳ電力割り当てに従うために要素
2019528591.tif 000053
によりスケーリングされ、資源の要素
2019528591.tif 000054
に対してｋの増加順にマッピングされるＳＳＳを構成するシンボルのシーケンスｄＳＳＳ（０）、...、ｄＳＳＳ（１２６）を仮定する必要がある。ここで、ｋおよびｌは下記の表４により与えられ、それぞれＳＳ／ＰＢＣＨブロック内の周波数インデックス（frequency  index）および時間インデックス（time  index）を示す。
【０１０７】
また、端末は、ＰＢＣＨ電力割り当てに従うために要素
2019528591.tif 000055
によりスケーリングされ、資源要素
2019528591.tif 000056
に対してｄＰＢＣＨ（０）から開始して順にマッピングされるＰＢＣＨを構成する複素値シンボル（complex-valued  symbols）のシーケンスｄＰＢＣＨ（０）、...、ｄＰＢＣＨ（Ｍｓｙｍｂ−１）を仮定する必要がある。ここで、資源要素
2019528591.tif 000057
はＰＢＣＨ復調参照信号（PBCH  demodulation  reference  signal）に利用されない。
【０１０８】
他の目的に保留（reserve）されていない資源要素
2019528591.tif 000058
に対するマッピングは、まずインデックスｋの順に増加し、その後にインデックスｌに対して増加する。ここで、ｋ及びｌは下記の表４により与えられ、それぞれＳＳ／ＰＢＣＨブロック内の周波数インデックスおよび時間インデックスを示す。
【０１０９】
また、端末はＰＢＣＨ電力割り当てに従うために要素
2019528591.tif 000059
によりスケーリングされ、資源要素
2019528591.tif 000060
に対してｋから開始して順にマッピングされる、ＳＳ／ＰＢＣＨブロックのシンボルｌでＰＢＣＨに対する復調参照信号を構成する複素値シンボルにおけるシーケンスｒｌ（０）、...、ｒｌ（７１）を仮定する必要がある。ここで、ｋおよびｌは下記の表４により与えられ、それぞれＳＳ／ＰＢＣＨブロック内の周波数インデックスおよび時間インデックスを示す。
【０１１０】
また、ＳＳ／ＰＢＣＨブロックに対して、端末は、アンテナポートが４０００（すなわち、ｐ＝４０００）であり、サブキャリア間隔設定（subcarrier  spacing  configuration）が
2019528591.tif 000061
であり、ＰＳＳ、ＳＳＳ、およびＰＢＣＨに対して同一のＣＰ長（Cyclic  Prefix  length）及びサブキャリア間隔を仮定する必要がある。
【０１１１】
【表４】
2019528591.tif 000062
【０１１２】
また、ＳＳ／ＰＢＣＨブロックの時間位置（time  location）に関して、端末は標準（standard,  specification）上に予め定義された時間領域の位置で可能なＳＳ／ＰＢＣＨブロックをモニタ（monitoring）する必要がある。
【０１１３】
自己完結型サブフレーム（Self-contained  subframe）構造
【０１１４】
ＮＲシステムにおいて考慮されるＴＤＤ（Time  Division  Duplexing）構造は、アップリンク（Uplink：ＵＬ）とダウンリンク（Downlink：ＤＬ）を１つのサブフレームにおいて全て処理する構造である。これは、ＴＤＤシステムにおいてデータ転送の遅延（latency）を最小化するためのものであり、前記構造は自己完結型サブフレーム（self-contained  subframe）構造と称される。
【０１１５】
図５は、本明細書で提案する方法が適用できる自己完結型サブフレーム構造の一例を示す。図５は、単に説明の便宜のためのものに過ぎず、本発明の範囲を制限するものではない。
【０１１６】
図５に示すように、レガシＬＴＥ（legacy  LTE）の場合のように、１つのサブフレームが１４個のＯＦＤＭ（Orthogonal  Frequency  Division  Multiplexing）シンボルから構成される場合が仮定される。
【０１１７】
図５において、領域５０２はダウンリンク制御領域（downlink  control  region）を意味し、領域５０４はアップリンク制御領域（uplink  control  region）を意味する。また、領域５０２及び領域５０４以外の領域（すなわち、別の表示のない領域）は、ダウンリンクデータ（downlink  data）又はアップリンクデータ（uplink  data）の転送のために利用できる。
【０１１８】
すなわち、アップリンク制御情報及びダウンリンク制御情報は、１つの自己完結型サブフレームにおいて転送される。それに対して、データの場合、アップリンクデータ又はダウンリンクデータが１つの自己完結型サブフレームにおいて転送される。
【０１１９】
図２に示す構造を利用する場合、１つの自己完結型サブフレーム内で、ダウンリンク転送とアップリンク転送が順次行われ、ダウンリンクデータの転送及びアップリンクＡＣＫ／ＮＡＣＫの受信が実行できる。
【０１２０】
結果的に、データ転送のエラーが発生する場合、データの再転送までかかる時間が減少することができる。これにより、データの伝達に関連する遅延を最小化することができる。
【０１２１】
図５に示すような自己完結型サブフレーム構造において、基地局（ｅＮｏｄｅＢ、ｅＮＢ、ｇＮＢ）及び／又は端末（terminal,  User  Equipment（ＵＥ））が送信モード（transmission  mode）から受信モード（reception  mode）に転換する過程または受信モードから送信モードに転換する過程のための時間ギャップが要求される。前記時間ギャップに関連して、前記自己完結型サブフレームでダウンリンク転送の以後にアップリンク転送が行われる場合、一部のＯＦＤＭシンボルが保護区間（Guard  Period：ＧＰ）に設定される。
【０１２２】
アナログビームフォーミング（analog  beamforming）
【０１２３】
ミリメートル波（mmWave：ｍｍＷ）通信システムにおいては、信号の波長（wavelength）が短くなるにつれて、同一面積に多数の（又は、多重の（multiple））アンテナを設置することができる。例えば、３０ＣＨｚ帯域において、波長は約１ｃｍ程度であり、２次元（2-dimension）配列形態によって５ｃｍ×５ｃｍのパネル（panel）に０．５ラムダ（lambda）間隔でアンテナを設置する場合、総１００個のアンテナ要素が設置できる。
【０１２４】
従って、ｍｍＷ通信システムにおいては、多数のアンテナ要素を用いてビームフォーミング（beamforming：ＢＦ）利得を高めることによりカバレッジ（coverage）を増加させるか、処理量（throughput）を高める法案を考慮することができる。
【０１２５】
このとき、アンテナ要素別に転送パワー（transmission  power）及び位相（phase）の調節が可能となるようにＴＸＲＵ（Transceiver  Unit）が設置される場合、周波数資源（frequency  resource）別に独立的なビームフォーミングが可能となる。
【０１２６】
ただし、すべてのアンテナ要素（例えば、１００個のアンテナ要素）にＴＸＲＵを設置する法案は価格の面で実効性が低下する。これにより、１つのＴＸＲＵに多数のアンテナ要素をマッピングし、アナログ位相シフター（analog  phase  shifter）を利用してビームの方向（direction）を制御する方式を考慮することができる。
【０１２７】
前述したようなアナログビームフォーミング方式は、全帯域において１つのビーム方向のみを生成できるため、周波数選択的なビーム動作を実行できないという問題が発生する。
【０１２８】
これにより、デジタルビームフォーミング（digital  beamforming）とアナログビームフォーミングの中間形態で、Ｑ個のアンテナ要素より少ない数であるＢ個のＴＸＲＵを有するハイブリッドビームフォーミング（hybrid  beamforming）を考慮することができる。この場合、前記Ｂ個のＴＸＲＵとＱ個のアンテナ要素の連結方式によって違いはあるが、同時に信号を送信できるビームの方向はＢ個以下に制限することができる。
【０１２９】
以下、本明細書では、相異なる２つ以上のヌメロロジーが同一周波数及び／又は同一時間地点に同時に存在するフレーム構造を考慮する場合に利用可能な同期信号（synchronization  signal）に関する内容について説明する。
【０１３０】
当該システムで利用される物理信号（physical  signal）及び／又は物理チャネル（physical  channel）は、レガシＬＴＥシステムと区別するために、「ｘ−」が追加されたｘ−ＰＳＳ、ｘ−ＳＳＳ、  ｘ−ＰＢＣＨ、ｘ−ＰＤＣＣＨ（Physical  Downlink  Control  Channel）／ｘ−ＥＰＤＣＣＨ（Enhanced  PDCCH）、ｘ−ＰＤＳＣＨ（Physical  Downlink  Shared  Channel）などに称される（又は、定義される）ことができる。ここで、前記「ｘ」は「ＮＲ」を意味する。本明細書で考慮される同期信号（ＳＳ）はｘ−ＰＳＳ、ｘ−ＳＳＳ、及び／又はｘ−ＰＢＣＨのように端末が同期化を行うために用いられる信号を示す。
【０１３１】
相異なる２つ以上のヌメロロジー（例えば、サブキャリア間隔（sub  carrier  spacing）が同時に存在（co-exist）する場合、２つの同期信号設計（synchronization  signal  design）の方法を考慮することができる。
【０１３２】
まず、各ヌメロロジー別に相異なる同期信号を転送する方法を考慮することができる。ただ、前記方法は、システムの側面で同期オーバーヘッド（sync  overhead）が大きくなり、端末の側面では同期信号に対するデコーディング複雑度（decoding  complexity）が大きくなる可能性がある。次に、複数のヌメロロジーのうち基地局と端末間に予め約束した方法（すなわち、予め設定された基準）により１つのデフォルトヌメロロジーを設定し、設定されたデフォルトヌメロロジーによって同期信号を転送する方法を考慮することができる。前記方法は、前述した１番目の方法に比べて、同期信号に対するデコーディング複雑度および同期オーバーヘッドが少ないという長所がある。
【０１３３】
本明細書では、複数のヌメロロジーのうち基地局と端末間に予め設定された１つ（すなわち、単一（single））のデフォルトヌメロロジーによって同期信号を送受信する方法について説明する。このとき、同期信号の転送のためのデフォルトヌメロロジーは周波数帯域（例えば、６ＧＨｚ以下の帯域、６ＧＨｚ以上のｍｍＷａｖｅなど）によって独立的（independent）に決定されることができる。
【０１３４】
また、端末は、ブラインドデコーディング（blind  decoding）によりデフォルトヌメロロジーに関する情報を取得する（又は、見つけ出す）ように設定されることもできる。この場合、デフォルトヌメロロジーに対するブラインドデコーディングの回数を減らすために、各デフォルトヌメロロジーが異なる値に設定できる候補を予め設定することができる。例えば、デフォルトヌメロロジーの候補が２つである場合、チャネルラスター集合（channel  raster  set）（又は、チャネルラスター設定）を２つ設定して１つの集合に１つのヌメロロジーをマッピングする方式を用いることができる。一例として、１００ｋＨｚに第１ヌメロロジーが設定され、３００ｋＨｚに第２ヌメロロジーが設定される。
【０１３５】
以下、本明細書では、デフォルトヌメロロジーが用いられるシステムにおいて同期信号に対するシーケンスを設計（design）（又は、設定（configuration）、生成（generation）する方法について説明する。具体的に、同期信号が転送されるデフォルト周波数バンド（default  frequency  band）が予め設定され、当該周波数バンドはデフォルトヌメロロジーを利用するように設定された場合、ＰＳＳとして利用できるシーケンス（すなわち、ＰＳＳに設定されるシーケンス、ＰＳＳ生成に用いられるシーケンス）の設定方法及び割り当て（allocation）方法について説明する。また、本明細書では、ＰＳＳだけでなく、ＳＳＳとして利用できるシーケンスの設定方法及び割り当て方法について説明する。
【０１３６】
また、本明細書で以下に説明される同期信号のシーケンス設計方式は、デフォルトヌメロロジーが用いられない場合にも同一又は類似の方式で適用できることは言うまでもない。
【０１３７】
まず、デフォルトヌメロロジー及び／又は同期信号に利用（又は、適用）されるヌメロロジーを決定するために考慮できる要素の一部は以下の通りである。
【０１３８】
−サブキャリア間隔（subcarrier  spacing）
【０１３９】
−巡回プレフィックス長（Cyclic  Prefix  length,  CP  length）
【０１４０】
−同期信号のための帯域幅
【０１４１】
以下、前記要素について具体的に説明する。
【０１４２】
まず、サブキャリア間隔に関する内容を説明する。一般に、ＣＰ−ＯＦＤＭ（Cyclic  Prefix-Orthogonal  Frequency  Division  Multiplexing）ベースの同期信号は、周波数オフセット（frequency  offset）値に敏感でありうる。従って、サブキャリア間隔を決定するためにキャリア周波数（carrier  frequency）値に応じた周波数オフセットの値を考慮する必要がある。ＮＲシステムの性能検証のためのシミュレーション仮定（simulation  assumption）によると、初期取得（initial  acquisition）と非初期取得（non-initial  acquisition）によって要求される周波数オフセット値が異なる。ここで、初期取得及び非初期取得は同期信号に対する初期取得及び非初期取得を意味することができる。
【０１４３】
初期取得の場合、ＴＲＰ（Transmission  and  Reception  Point）は均一分布（uniform  distribution）基準＋／−０．０５ｐｐｍが考慮され、端末（ＵＥ）は均一分布基準＋／−５、１０、２０ｐｐｍが考慮される。これとは異なり、非初期取得の場合、ＴＲＰは均一分布基準＋／−０．０５ｐｐｍが考慮され、端末（ＵＥ）は均一分布基準＋／−０．１ｐｐｍ  が考慮される。このとき、初期取得で考慮される５ｐｐｍ、１０ｐｐｍ、及び１５ｐｐｍを用いてキャリア周波数値に応じて周波数オフセット値を算出すると、以下の表５の通りである。
【０１４４】
【表５】
2019528591.tif 000063
【０１４５】
表５の値は、ＮＲシステムで考慮できる例示的なキャリア周波数に応じて算出された値である。表５を参照すると、キャリア周波数が増加するにつれてキャリア周波数オフセットが増加する傾向がある。一般に、キャリア周波数オフセットの影響は初期取得の状況で重要である。従って、同期信号（すなわち、ＰＳＳ）のキャリア周波数オフセットの影響を減らす必要がある。
【０１４６】
また、以下の表６は、相異なるキャリア周波数値に対する特定のサブキャリア間隔値に応じた正規化された（normalized）周波数オフセット値を示す。
【０１４７】
【表６】
2019528591.tif 000064
【０１４８】
表６を参照すると、サブキャリア間隔値が大きくなるにつれて周波数オフセットの値が減少する傾向がある。すなわち、初期接続（initial  access）性能はサブキャリア間隔値が大きくなるにつれて向上する。従って、６ＧＨｚ以下（below  6GHz）を考慮する場合（すなわち、アナログビームフォーミングを行わない場合）、デフォルトサブキャリア間隔が
2019528591.tif 000065
に設定され、同期信号のサブキャリアの間隔はデフォルトサブキャリア間隔のＮ倍
2019528591.tif 000066
に設定される。このとき、Ｎは２の倍数または２ｎ（ここで、ｎは正の整数）に設定されることもできる。
【０１４９】
また、初期取得ではないＳＳＳ及び／又はＰＢＣＨのような信号のサブキャリア間隔はＰＳＳが利用するサブキャリア間隔（すなわち、ＰＳＳに適用されるサブキャリア間隔）と同一の値を利用するように設定できる。ただ、ＳＳＳ及びＰＢＣＨは初期取得の対象ではないため、周波数オフセット値に大きく影響を受けない。従って、ＳＳＳ及び／又はＰＢＣＨに対しては、ＰＳＳが利用するサブキャリア間隔
2019528591.tif 000067
ではなく、デフォルトサブキャリア間隔
2019528591.tif 000068
が設定されることもできる。
【０１５０】
次に、ＣＰ長に関する内容について説明する。一般に、ＣＰ長は、遅延拡散（delay  spread）により発生するシンボル間干渉（Inter-Symbol  Interference：ＩＳＩ）を防止するために利用される。また、サブキャリア間隔が大きくなるほどシンボル区間（symbol  duration）が短くなるため、サブキャリア間隔が大きくなるほどＣＰ長も短くなる。従って、大きな値のサブキャリア間隔が利用される場合はＣＰ長が短くなるため、遅延拡散が大きいチャネルでの性能は低下する可能性がある。
【０１５１】
しかしながら、６ＧＨｚ以下の帯域でＮＲシステムを支援するためには、長い遅延拡散が存在するチャネルなど（例えば、ＥＴＵ（Extended  Typical  Urban  model）、ＴＤＬ（Tapped-delay  line）など）でもシステムが適切に動作するように設定される必要がある。従って、遅延拡散を考慮すると、ＣＰ長は長く設定されるほど有利である。
【０１５２】
次に、同期信号のための帯域幅に関する内容について説明する。既存のＬＴＥシステム（すなわち、レガシーＬＴＥシステム）の同期信号に利用された帯域幅は１．０８ＭＨｚである。もし、ＮＲシステムにおいて、既存のＴＬＥシステムのサブキャリア間隔値より大きい値のサブキャリア間隔が設定されると、同期信号のためにさらに広い帯域幅が用いられる。ただ、受信すべき帯域幅が広くなることにつれて端末の算出複雑度（calculation  complexity）が増加する可能性がある。従って、算出複雑度を増加させないために、ＮＲシステムの同期信号のために用いられる帯域幅はＬＴＥシステムの場合と類似して維持されることが好ましい。
【０１５３】
前述した要素を考慮するとき、ＮＲシステムの同期信号を設計する方法は多様である。本発明の多様な実施形態において、次のような４つの方法（方法１ないし方法４）を考慮することができる。以下の方法において、
2019528591.tif 000069
はデフォルトサブキャリア間隔を意味し、
2019528591.tif 000070
及び
2019528591.tif 000071
は、それぞれＰＳＳ（すなわち、ＮＲ  ＰＳＳ）及びＳＳＳ（すなわち、ＮＲ  ＳＳＳ）に利用されるサブキャリア間隔を意味する。
【０１５４】
（方法１）
【０１５５】
方法１は、ＰＳＳ及びＳＳＳに利用（又は、適用）するサブキャリア間隔をデフォルトサブキャリア間隔と同一値に設定する方法
2019528591.tif 000072
である。言い換えると、各周波数バンドに利用するデフォルトサブキャリア間隔が決定（又は、設定）されると、ＰＳＳ及びＳＳＳに利用するサブキャリアの間隔はデフォルトサブキャリア間隔と同一に設定できる。
【０１５６】
例えば、４ＧＨｚ又は６ＧＨｚの近くの中心周波数（center  frequency）に対して１５ｋＨｚのデフォルトサブキャリア間隔が設定される場合、ＰＳＳ及びＳＳＳに適用されるサブキャリアの間隔は１５ｋＨｚに設定できる。ただ、前述したように（例えば、表５）、６ＧＨｚ以下の帯域で同期信号のためのサブキャリア間隔が１５ｋＨｚ（すなわち、ＬＴＥシステムのサブキャリア間隔）に設定される場合、ＰＳＳの周波数推定（frequency  offset）動作はキャリア周波数オフセットの影響を受ける可能性がある。
【０１５７】
他の例として、４ＧＨｚ又は６ＧＨの近くの中心周波数に対して６０ｋＨｚのデフォルトサブキャリア間隔が設定される場合、ＰＳＳ及びＳＳＳに適用されるサブキャリア間隔も６０ｋＨｚに設定できる。前述したように（例えば、表５）、同期信号のためのサブキャリア間隔が１５ｋＨｚより大きい６０ｋＨｚに設定される場合、ＰＳＳの周波数推定（frequency  offset）動作はキャリア周波数オフセットの影響を少なく受けることができる。
【０１５８】
（方法２）
【０１５９】
方法２は、ＰＳＳ及びＳＳＳに用いるサブキャリア間隔を同一に設定し、同一に設定されるサブキャリア間隔はデフォルトサブキャリア間隔をＮ倍スケーリングして設定する方法
2019528591.tif 000073
である。言い換えると、各周波数バンドに用いるデフォルトサブキャリアの間隔が決定されると、ＰＳＳ及びＳＳＳに利用するサブキャリアの間隔は、デフォルトサブキャリアの間隔をＮ倍スケーリングして設定できる。このとき、Ｎは２の倍数の形態でスケーリングされるか
2019528591.tif 000074
または、２ｍの形態でスケーリングされることもできる（すなわち、Ｎ  ＝2m、ｍは整数）。
【０１６０】
例えば、４ＧＨｚ又は６ＧＨｚの近くの中心周波数に対して１５ｋＨｚのデフォルトサブキャリア間隔が設定される場合、ＰＳＳ及びＳＳＳに適用されるサブキャリア間隔は、１５ｋＨｚを４倍スケーリングした６０ｋＨｚに設定できる。当該方法を用いる場合、ＰＳＳの周波数推定（frequency  offset）動作はキャリア周波数オフセットの影響を少なく受けることができる。
【０１６１】
（方法３）
【０１６２】
方法３は、ＳＳＳに用いるサブキャリア間隔はデフォルトサブキャリア間隔と同一であり、ＰＳＳに利用するサブキャリア間隔はデフォルトサブキャリア間隔をＮ倍スケーリングして設定する方法
2019528591.tif 000075
である。言い換えると、各周波数バンドに用いるデフォルトサブキャリア間隔が決定されると、ＰＳＳに利用するサブキャリア間隔はデフォルトサブキャリア間隔をＮ倍スケーリングして設定され、ＳＳＳに利用するサブキャリア間隔はデフォルトサブキャリア間隔と同一に設定されることができる。
【０１６３】
例えば、４ＧＨｚ又は６ＧＨｚの近くの中心周波数に対して１５ｋＨｚのデフォルトサブキャリア間隔が設定される場合、ＰＳＳに適用されるサブキャリア間隔は６０ｋＨｚに設定され（Ｎ＝４）、ＳＳＳに適用されるサブキャリアの間隔は１５ｋＨｚに設定できる。この場合、ＰＳＳの周波数推定（frequency  offset）動作はキャリア周波数オフセットの影響を少なく受けることができ、ＳＳＳにおいてＣＰ長が既存のＬＴＥシステムと同一であるので、長い遅延拡散を有するチャネルにおいてもセル識別子（cell  ID）検出動作を効率的に実行できるという長所がある。
【０１６４】
（方法４）
【０１６５】
方法４は、ＰＳＳに利用するサブキャリア間隔はデフォルトサブキャリア間隔と同一であり、ＳＳＳに利用するサブキャリア間隔はデフォルトサブキャリア間隔をＮ倍スケーリングして設定する方法
2019528591.tif 000076
である。言い換えると、各周波数バンドに利用するデフォルトサブキャリア間隔が決定されると、ＳＳＳに利用するサブキャリア間隔はデフォルトサブキャリア間隔をＮ倍スケーリングして設定され、ＰＳＳに利用するサブキャリア間隔はデフォルトサブキャリア間隔と同一に設定されることができる。
【０１６６】
例えば、４ＧＨｚ又は６ＧＨｚの近くの中心周波数に対して１５ｋＨｚのデフォルトサブキャリア間隔が設定される場合、ＳＳＳに適用されるサブキャリア間隔は６０ｋＨｚに設定され（Ｎ＝４）、ＰＳＳに適用されるサブキャリア間隔は１５ｋＨｚに設定されることができる。
【０１６７】
また、本発明の多様な実施形態において、前述した方法３及び方法４のように、ＰＳＳとＳＳＳに対して相異なるサブキャリア間隔が設定される。この場合、１シンボルを基準に転送すべき帯域幅より１／２ｍ倍ダウンスケーリング（scaling  down）された帯域幅及び２ｍ倍多いシンボルを用いてＰＳＳ及び／又はＳＳＳを転送する方法を考慮することができる。
【０１６８】
例えば、前述した方法３のように、４ＧＨｚ又は６ＧＨｚの近くの中心周波数に対して１５ｋＨｚのデフォルトサブキャリア間隔が設定される場合、ＰＳＳに適用されるサブキャリア間隔は６０ｋＨｚに設定され（Ｎ＝４）、ＳＳＳに適用されるサブキャリアの間隔は１５ｋＨｚに設定されることができる。この場合、ＳＳＳシーケンス（例えば、レガシーＳＳＳシーケンス）に対して、既存のＬＴＥシステムのように、６ＲＢ（すなわち、１．０８ＭＨｚ、７２資源要素（Resource  Element：ＲＥ））が割り当てられる場合、ＳＳＳは１シンボルを通じて転送できる。
【０１６９】
そのとき、ＰＳＳが転送される帯域幅を１．０８ＭＨｚに制限し、ＰＳＳシーケンスを４つのシンボルにわたって転送するように設定する方法を考慮することができる。これに関する具体的な例示は図６のようである。
【０１７０】
図６は、本明細書で提案する方法が適用できる同期信号の転送方法の一例を示す。図６は、単に説明の便宜のためのものに過ぎず、本発明の範囲を制限するものではない。
【０１７１】
図６に示すように、同期信号（すなわち、ＰＳＳ及びＳＳＳ）はＳＳＳ転送のための帯域幅に合わせて転送される場合が仮定される。また、サブフレーム（例えば、ＳＳＳヌメロロジーに対する単一サブフレーム）の５番目のＯＦＤＭシンボル（#5  OFDM  symbol）でＳＳＳが転送され、６番目のＯＦＤＭシンボル（#6  OFDM  symbol）の場所に位置した４つの短いＯＦＤＭシンボルを通じてＰＳＳが転送される場合が仮定される。このとき、ＰＳＳは４つのＯＦＤＭシンボルを通じて転送されるので、ＰＳＳのための帯域幅は既存の帯域幅の１／４倍になる。
【０１７２】
また、ＳＳＳ及び／又はＰＳＳが転送される位置（又は、シンボル）は一例に過ぎず、１４個のシンボル（すなわち、＃０ないし＃１３ＯＦＤＭシムボル）のうち重ならない（すなわち、重畳されない）任意のシンボルにＳＳＳ及び／又はＰＳＳが位置することもできる。
【０１７３】
４つのＯＦＤＭシンボルを通じて転送されるＰＳＳのためのシーケンスは、次の例示のような方式で転送されるように設定できる。
【０１７４】
例えば、ＰＳＳ転送のために、相異なるルートインデックス（root  index）を利用する長さ１７のＺＣシーケンス（Zadoff-Chu  sequence）４つが各シンボルで１つずつ転送されるように設定することができる。他の例として、ＰＳＳ転送のために、同一のルートインデックスを利用する長さ１７のＺＣシーケンス１つが各シンボルに繰り返して転送されるように設定することもできる。さらに他の例として、ＰＳＳ転送のために、相異なるルートインデックスを利用する長さ１７のＺＣシーケンス２つ（すなわち、第１シーケンス（Ａ）、第２シーケンス（Ｂ））を生成し、生成された２つのシーケンスが４つのシンボルにわたってＡＢＡＢ、ＡＡＢＢ，ＡＢＢＡなどのように様々な形態の組み合わせによって転送されるように設定することもできる。
【０１７５】
前述したＰＳＳ転送方式の場合、各シンボルに対してカバーコード（cover  code）を適用して相関性能を向上させることができるという長所がある。また、前記ＰＳＳが６０ｋＨｚのサブキャリア間隔に設定されるため、４シンボルにわたるＰＳＳの転送には１ｍｓのみが必要となる。また、前述したようなＰＳＳ及びＳＳＳの転送方式は、ＰＳＳとＳＳＳに対して相異なるサブキャリア間隔が設定されても、端末が一定の帯域幅（例えば、１．０８ＭＨｚ）のみをフィルタリングして同期信号を受信できるという長所がある。
【０１７６】
この場合、当該ＰＳＳに適用されたサブキャリア間隔値（例えば、６０ｋＨｚ）に合わせてダウンスケーリングされたＣＰが前記４つのシンボルのそれぞれの前部に設定されることもできる。
【０１７７】
また、本発明の多様な実施形態において、前述した方法１及び方法２のように、ＰＳＳとＳＳＳに対して同一のサブキャリア間隔が設定されることができる。この場合、ＰＳＳに用いられるシーケンス（すなわち、ＰＳＳシーケンス）は以下のような方法で設定または割り当てできる。
【０１７８】
まず、ＳＳＳと同一の長さを有するＰＳＳを利用する方法を考慮することができる。すなわち、前記方法は、ＳＳＳシーケンスとＰＳＳシーケンスの長さを同一に設定する方法である。例えば、前述したように（例えば、方法１）、４ＧＨｚ又は６ＧＨｚの近くの中心周波数に対して１５ｋＨｚのデフォルトサブキャリア間隔が設定される場合、ＰＳＳ及びＳＳＳに適用されるサブキャリアの間隔は１５ｋＨｚに設定できる。この場合、ＰＳＳ及びＳＳＳに対して、既存のＬＴＥシステムのように、６ＲＢ（すなわち、１．０８ＭＨｚ、７２ＲＥ）が割り当てられる場合、ＰＳＳ及びＳＳＳは（それぞれ）１シンボルを通じて転送できる。
【０１７９】
次に、ＳＳＳよりＮ倍短い長さのシーケンスをＰＳＳ転送に利用するとき、既存の帯域幅は一定に維持する方法も考慮できる。この場合、ＰＳＳシーケンスを周波数軸にＲＥ毎にマッピングするのではなく、Ｎ個のＲＥ毎にマッピングすることにより、既存の帯域幅が一定に維持できる。すなわち、ＰＳＳシーケンスがＳＳＳシーケンスより短くても、ＰＳＳシーケンスを一定間隔でマッピングすることによりＰＳＳとＳＳＳの転送帯域幅が同一に維持できる。このとき、ＰＳＳシーケンスがマッピングされていないサブキャリア（又は、ＲＥ）には「０（zero）」が満たされ、ＰＳＳシーケンスがマッピングされたサブキャリアはＮ倍増加した電力（power）を利用して転送できる。これに関する具体的な例示は図７のようである。
【０１８０】
図７は、本明細書で提案する方法が適用できる同期信号の転送方法の他の例を示す。図７は、単に説明の便宜のためのものに過ぎず、本発明の範囲を制限するものではない。
【０１８１】
具体的には、図７の（ａ）は既存のＰＳＳシーケンスマッピング方式を示し、図７の（ｂ）は本明細書で提案するＰＳＳシーケンスマッピング方式を示す。
【０１８２】
図７に示すように、各正四角形はサブキャリア（又は、ＲＥ）を意味し、チェックされた領域はＰＳＳシーケンスがマッピングされたＲＥを意味する。また、本明細書で提案するＰＳＳシーケンスの長さは、既存のＰＳＳシーケンスよりＮ倍短く設定される場合が仮定される。
【０１８３】
図７の（ａ）の場合、前述したように、既存のＰＳＳシーケンスはＲＥ毎にマッピングされるように設定され、サブキャリア間隔はＦｄ  ｋＨｚで表現できる。
【０１８４】
それに対して、図７の（ｂ）の場合、本明細書で提案するＰＳＳシーケンスは、Ｎ個のＲＥ毎にマッピングされるように設定できる。このとき、「０」がマッピングされていないサブキャリア（すなわち、ＰＳＳシーケンスがマッピングされたサブキャリア）間の間隔はＮ＊Ｆｄ  ｋＨｚで表現できる。また、時間軸ではＣＰ長を除いた１シンボル内の空間に同一のシーケンスがＮ回繰り返す形態で現れるようになり、実際のシンボル区間（symbol  duration）は変更されない。一例として、ＲＥ毎にＰＳＳシーケンスがマッピングされる場合、前記ＰＳＳシーケンスに該当する時間区間（time  duration）はシンボル区間と同一に設定できる。この場合、Ｎ個のＲＥ毎にＰＳＳシーケンスがマッピングされると、前記ＰＳＳシーケンスに該当する時間区間はシンボル区間の１／Ｎ倍になることができる。これにより、Ｎ個のＲＥ毎にＰＳＳシーケンスがマッピングされる場合は、同一のシンボル区間に対してＰＳＳシーケンスがＮ回繰り返す形態が現れる。
【０１８５】
本明細書で提案するＰＳＳシーケンス設定及び割り当て方法（例えば、図７の（ｂ）の方法）を利用すると、端末がＰＳＳを用いて周波数推定（又は、周波数測定）を行うとき、キャリア周波数オフセットの影響を少なく受けるという長所がある。具体的には、既存の方式（例えば、図７の（ａ））のようにＰＳＳをＲＥ毎にマッピングして転送する場合、キャリア周波数オフセットの影響によって隣接サブキャリアによるセル間干渉（ＩＣＩ）が大きくなる可能性がある。これとは異なり、本明細書で提案しているようにＰＳＳをＮ個のＲＥ毎にマッピングして転送する場合、Ｎ＊サブキャリアの間隔だけ離れたサブキャリアによるセル間干渉が存在するため、その影響は低下することができる。
【０１８６】
また、セル識別子（cell  ID）（例えば、物理層セル識別子（physical  layer  cell  ID））に関して、既存の場合、３つのＰＳＳシーケンス候補のうち１つ及び１６８個のＳＳＳシーケンス候補のうち１つを選択して、５０４個のセル識別子のうち１つを選択（又は、識別、決定）する方法が用いられた。ただ、前記方法では、ＰＳＳを選択するための３つの候補を区別するために、端末は複雑度（complexity）の高い動作を３回ずつ繰り返して行う必要がある。
【０１８７】
従って、このような端末の負担（burden）を減らすために、ＰＳＳに対して１つの候補を利用し、ＳＳＳに対して全体セル識別子数に該当する候補を利用して、セル識別子のうち１つを選択する方法を考慮することができる。一例として、ＰＳＳに対して１つの候補を利用し、ＳＳＳに対して５０４個または１００８個の候補を利用する方法を考慮することができる。
【０１８８】
そのとき、当該方法の場合、ＰＳＳに関連して候補の数が減ることであるので、前述した方式のＰＳＳシーケンスがそのまま利用されても関係ない。一例として、ＰＳＳシーケンスは、前述した数式３、数式４、および数式５を用いて生成されることができる。
【０１８９】
ただ、ＳＳＳに関連しては、候補の数が増加するので、ＳＳＳシーケンスに対する設計方法を新しく考慮する必要がある。すなわち、ＳＳＳシーケンスを全体セル識別子の数だけ生成（又は、設定）する方法を考慮する必要がある。一例として、ＳＳＳシーケンスは、前述した数式６、数式７、および数式８を用いて生成されることができる。
【０１９０】
具体的に、全体セル識別子（例えば、５０４個のセル識別子、１００８個のセル識別子）を区分するために、ＳＳＳは次のような方式で設定（又は、設計、割り当て）できる。以下、説明の便宜のために、全体セル識別子の数が既存のＬＴＥシステムにおける全体セル識別子の数である５０４に設定される場合が仮定される。この場合、ＮＲシステムの全体セル識別子の数が既存の場合と異なる場合（例えば、１００８個）にも、当該方法が同一に適用できることは言うまでもない。
【０１９１】
例えば、ＳＳＳシーケンスに対して全長７２のシーケンス（length  72  sequence）が利用できるが、ガード（guard）領域を考慮してまず長さ６７のシーケンスが生成される。すなわち、ガード領域を考慮して、ＳＳＳシーケンスに対して割り当てられた周波数領域より短い長さのシーケンスが利用できる。ここで、全長７２は、帯域幅が１．０４ＭＨｚで、サブキャリア間隔が１５ｋＨｚである場合、及び／又は帯域幅が４．１６ＭＨｚで、サブキャリア間隔が６０ｋＨｚである場合にも利用できる。このとき、前記生成される長さ６７のシーケンスはＺＣシーケンス、Ｍシーケンスなどでありうる。
【０１９２】
この後、前記生成された長さ６７のシーケンスに１サンプルを追加して長さ６８のシーケンス（例えば、ＺＣシーケンス、Ｍシーケンスなど）が生成できる。例えば、シーケンスの１番目の１サンプルを当該シーケンスの最後に追加（すなわち、循環シフト）して長さ６８のシーケンスが生成される。または、他の例として、任意の場所に「０（zero）」を追加して長さ６８のシーケンスを生成する方法を考慮することもできる。このとき、１番目の例示の方法（すなわち、循環シフトを利用する方法）がさらに有利でありうる。
【０１９３】
この後、生成された長さ６８のシーケンスの両端にガード用途として用いられる「０」を２サンプルずつ追加して、全長７２のシーケンスが生成される。言い換えると、ＳＳＳシーケンスの生成のために用いられるシーケンスは、ＳＳＳシーケンス転送に割り当てられた資源領域の長さに合わせて生成（又は、設定、設計）される。以下、本明細書において、前記手順により生成されたシーケンスは、第１シーケンスと称される。
【０１９４】
このように生成された長さ７２のシーケンスがＺＣシーケンスである場合、当該シーケンスは総６７個のルートインデックスを利用することができる。ただ、当該シーケンスのＰＡＰＲ（Peak-to-Average  Power  Ratio）値を考慮して６７個のうち６３個のルートインデックス（例えば、3,  4,  5  ...,  63,  64,  64,  65）のみが用いられることもできる。または、このように生成された長さ７２のシーケンスが長さ６８のＭシーケンスに基づく場合、当該シーケンスは総６８個の循環シフト値を利用することができる。この場合にも、ＰＡＰＲ及び相関値などを考慮して一部の循環シフト値（例えば、６３個）のみが用いられることができる。
【０１９５】
そのとき、前述したような手順によって生成されたシーケンスに対して適用するスクランブリングシーケンス（scrambling  sequence）を追加的に考慮することができる。ここで、スクランブリングシーケンスは、特定のシーケンスに乗算されるシーケンスを意味する。すなわち、ＳＳＳシーケンス生成のために、前記生成されたシーケンスと当該シーケンスと同一の長を有するシーケンスとを乗算する方法を考慮することができる。このとき、シーケンス間の積は、同一の位置に該当するシーケンスの各要素（又は、サンプル）間の積を意味する。例えば、第１シーケンスが［0  1  1  1  0...］から構成され、第２のシーケンスが［0  0  1  1  1...］から構成される場合、２つのシーケンスの要素間の積により生成されるシーケンスは［0*0  1*0  1*1  1*1  0*1...］である。
【０１９６】
この場合、スクランブリングシーケンスは、ＰＮシーケンス（Pseudo-random  Noise  sequence）、Ｍシーケンス、アダマールシーケンス（Hadamard  sequence）、二進シーケンス（binary  sequence）などでありうる。
【０１９７】
例えば、スクランブリングシーケンスとしてＰＮシーケンスが利用される場合、前述した長さ６８のシーケンス（例えば、長さ６８のＺＣシーケンス）に対するスクランブリングシーケンスとして長さ６３のＰＮシーケンスを生成し、その後、５サンプルを追加して長さ６８のＰＮシーケンスを生成する方法を考慮することができる。この場合も、前述した方式と同一に、シーケンスの前部の５サンプルを当該シーケンスの最後に追加する方式（すなわち、循環シフト）、又は任意の場所に「０」を５回追加して長さ６８のシーケンスを生成する方法を考慮することができる。
【０１９８】
このとき、スクランブリングシーケンスが８つの候補を有するようにするために、当該シーケンスは、特定の開始サンプル（starting  sample）値（又は、特定の初期値）を用いて循環シフトされることができる。または、ＰＮシーケンスを生成するシード（seed）値を相異なるように設定して８つの相異なるＰＮシーケンスを用いる方法も考慮することができる。前記２つの方法のうち、前者は同一（すなわち、単一）のシーケンスを循環シフトして相異なる８つの形態で利用し、後者は相異なる８つのシーケンスを利用するという点で差がある。
【０１９９】
または、他の例として、スクランブリングシーケンスとしてＭシーケンスが利用される場合、前述した長さ６８のシーケンス（例えば、長さ６８のＺＣシーケンス、長さ６８のＭシーケンス）に対するスクランブリングシーケンスとして長さ６８のＭシーケンスを生成する方法を考慮することができる。この場合、スクランブリングシーケンスが８つの候補を有するようにするために、相異なる８つの循環シフト値により前記８つの候補を区分（又は、生成）することができる。
【０２００】
この後、生成された長さ６８のシーケンスの両端にガード用途として用いられる「０」を２サンプルずつ追加して、全長７２のシーケンスが生成されることができる。以下、本明細書において、前記手順により生成されたシーケンスは、第２シーケンスと称される。
【０２０１】
前述した手順により、２つの長さ７２のシーケンス、すなわち、特定のシーケンス（すなわち、第１シーケンス）及び特定のシーケンスのためのスクランブリングシーケンス（すなわち、第２シーケンス）が生成され、生成された２つのシーケンスをスクランブリングして最終的にＳＳＳシーケンスが生成できる。例えば、長さ７２のＺＣシーケンスに対して長さ７２のＰＮシーケンスをスクランブリングしてＳＳＳシーケンスが生成される。または、他の例として、長さ７２のＭシーケンスに長さ７２の他のＭシーケンスをスクランブしてＳＳＳシーケンスが生成されることもできる。
【０２０２】
このとき、特定のシーケンス（すなわち、第１シーケンス）に対する候補が６３個に設定され、スクランブリングシーケンス（すなわち、第２シーケンス）に対する候補が８個に設定される場合、総６３＊８個、すなわち、５０４個のＳＳＳシーケンス候補が区分（又は、区別）できる。これにより、全セル識別子が５０４個である場合、ＳＳＳシーケンスは全体セル識別子の数だけ生成される。
【０２０３】
以上のように、前述したＳＳＳシーケンス設定（又は、生成）の方式は、セル識別子の数が５０４ではなく他の数に設定されても適用できることは言うまでもない。例えば、ＮＲシステムでセル識別子の数が１００８個に設定される場合、第１シーケンスに対する候補が１１２個設定され、第２シーケンスに対する候補が９つ設定されることができる。この場合、第１シーケンスと第２シーケンスとの積（すなわち、第１シーケンスの要素と第２シーケンスの要素との積）により最終的に生成できるＳＳＳシーケンス候補の数は１００８個である。また、この場合、同期信号に対するシーケンスの長さが長くなるにつれて、同期信号に割り当てられる周波数領域、すなわち、ＲＢの数がさらに多くなる（例えば、１２ＲＢ）。
【０２０４】
この場合、第１シーケンスの長さと第２シーケンスの長さは同一に設定され、第１シーケンスの長さ及び第２シーケンスの長さは、最終的に形成されるＳＳＳシーケンスの長さと同一である。すなわち、第１シーケンス及び第２シーケンスにおいてガード領域を除いた実質的なシーケンスの長さは、ガード領域を除いた実質的なＳＳＳシーケンスの長さと同一である。
【０２０５】
また、これに関連して、既存のＬＴＥシステムでは２つの短いシーケンス（例えば、長さ３１のシーケンス）をインターリービング（interleaving）してＳＳＳシーケンスを設定（又は、生成）する反面、本明細書で提案するＳＳＳシーケンスは長いシーケンスに基づいて設定される。ここで、長いシーケンスは複数のシーケンスをインターリービングして生成されないシーケンスを意味することができる。または、長いシーケンスはＳＳＳシーケンスに割り当てられた資源領域に合わせて設定されたシーケンス（又は、ガード領域を考慮して一部短く構成されたシーケンス）を意味することもできる。短いシーケンスではない長いシーケンスを利用してＳＳＳシーケンスを生成（又は、設定）する場合、シーケンス間の相互相関（cross  correlation）性能が向上し、これにより、端末がＳＳＳを受信できないゴースト効果が防止できるという効果がある。
【０２０６】
また、前述したように、第１シーケンスの候補数と第２シーケンスの候補数は不均等（un-even）に設定（すなわち、一方の候補数が他方の候補数より多く設定）されることができる。第１シーケンスの候補数と第２シーケンスの候補数が同一に設定される場合、第１シーケンス及び第２シーケンスを利用して生成されるＳＳＳシーケンス間の相互相関値（cross  correlation  value）が大きくなる（例えば、０．５）。これと異なり、第１シーケンスの候補数と第２シーケンスの候補数が不均等に設定される場合は、生成されるＳＳＳシーケンス間の相互相関値が小さい（すなわち、相互相関性能が良い）。従って、第１シーケンスの候補数と第２シーケンスの候補数が相異なるように設定される場合は、ＳＳＳシーケンス、すなわち、ＳＳＳの検出性能が向上できるという長所がある。
【０２０７】
また、前記第１シーケンス及び前記第２シーケンスがＭシーケンスである場合、ＰＳＳシーケンスは前記第１シーケンスの生成に用いられた第１多項式又は前記第２シーケンスの生成に利用された第２多項式に基づいて生成されることもできる。この場合、ＰＳＳシーケンスの生成のための多項式がＳＳＳシーケンスの生成のための多項式のうちいずれか１つと重畳されることにより、同期信号のためのシーケンス生成に対する複雑度が低下することができる。
【０２０８】
また、前述したように、ＳＳＳシーケンスを生成するための初期値及び／又は多項式として、前述した同期信号に関連する内容の値及び／又は式が利用できる。
【０２０９】
また、ＳＳＳを利用してサブフレームインデックス及び／又はフレームインデックスを区別できるようにするために、前述した手順により生成されたＳＳＳ（すなわち、ＳＳＳシーケンス）に対して他のスクランブリングシーケンス（すなわち、第３シーケンス）を追加的に適用する方法も考慮することができる。すなわち、他のスクランブリングシーケンスを追加的に適用して候補の数を増加させ、新たに設定された候補によりサブフレームインデックス及び／又はフレームインデックスが区別されるように設定することもできる。
【０２１０】
図８は、本明細書で提案する方法が適用できる同期信号の転送方法のさらに他の例を示す。図８は、単に説明の便宜のためのものに過ぎず、本発明の範囲を制限するものではない。
【０２１１】
図８に示すように、ＰＳＳに適用されるサブキャリア間隔はＳＳＳに適用されるサブキャリア間隔の４倍に設定され、ＰＢＣＨに適用されるサブキャリア間隔はＳＳＳに適用されるサブキャリア間隔と同一に設定される場合が仮定される。また、ＰＳＳ転送のためにルートインデックスが異なるように設定された２種類のＺＣシーケンス（ルートインデックス７のＺＣシーケンス及びルートインデックス１０のＺＣシーケンス）が用いられる場合が仮定される。一例として、ＰＳＳの転送のために相異なるルートインデックスを利用する長さ１７のＺＣシーケンス２つが用いられる。
【０２１２】
この場合、各ルートインデックスに該当するＺＣシーケンスが２回ずつ繰り返される方式、すなわち、４つの長さ１７のＺＣシーケンスによりＰＳＳが転送される。
【０２１３】
このとき、ＰＳＳの転送帯域幅はＳＳＳの転送帯域幅と同一に設定され、ＰＳＳ、すなわち、４つの長さ１７のＺＣシーケンスに対して［1,  1,  -1,  1］のカバーコードが適用できる。また、ＰＳＳの一端とＳＳＳの両端にはガード領域のためのゼロパディング（zero  padding）が実行できる。このとき、ＰＳＳは４つのシンボル（このとき、４つのシンボル全体に該当する時間区間はＳＳＳのサブキャリア区間によって設定された１つのシンボル区間と同一である）を通じて転送される。また、図８に示すように、ＰＳＳシーケンスに利用されるルートインデックスは［7,  10,  7,  10］として割り当てできる。
【０２１４】
また、この場合、図８に示すように、ＳＳＳ転送のためのＣＰ長とＰＢＣＨ転送のためのＣＰ長は同一に設定される。また、実質的なＳＳＳシーケンスの長さは、ＰＢＣＨシーケンス（すなわち、ＰＢＣＨ転送のために用いられるシーケンス）の長さより短く設定できる。
【０２１５】
また、前述したＳＳＳシーケンス生成（又は、設定）方式において、デフォルトサブキャリア間隔値が１５ｋＨｚに設定された。しかしながら、これは説明の便宜のための例示に過ぎず、デフォルトサブキャリア間隔は６ＧＨｚ以下の帯域で３０ｋＨｚ、６０ｋＨｚなどになることができ、６ＧＨｚ以上の帯域では６０ｋＨｚだけでなく、１２０ｋＨｚ、２４０ｋＨｚなどになることもできる。従って、デフォルトサブキャリア間隔値に基づいて、ＰＳＳ及び／又はＳＳＳに用いられるサブキャリア間隔値は、前述した方法によってさらに大きく又はさらに小さくスケーリングされることができる。
【０２１６】
また、本発明の多様な実施形態において、前述した方法１及び方法２のように、ＰＳＳ及びＳＳＳに対して同一のサブキャリア間隔が設定される場合、次のようなＰＳＳシーケンス設定及び／又は割り当て方法を考慮することもできる。以下、説明の便宜のために、ＰＳＳ及びＳＳＳに適用されるサブキャリア間隔は１５ｋＨｚであると仮定する。
【０２１７】
例えば、相異なるルートインデックスを利用する長さ１７のＺＣシーケンス４つを１つのシンボルにＦＤＭ（frequency  division  multiplexing）してＰＳＳシーケンス（すなわち、ＰＳＳのためのシーケンス）を転送する方法を考慮することができる。他の例として、同一のルートインデックスを利用する長さ１７のＺＣシーケンス１つを１つのシンボルにＦＤＭしてＰＳＳシーケンスを転送する方法も考慮することができる。さらに他の例として、相異なるルートインデックスを利用する長さ１７のＺＣシーケンス２つ（すなわち、第１シーケンス（Ａ）、第２  シーケンス（Ｂ））を生成し、生成された２つのシーケンスが４つのシンボルにわたってＡＢＡＢ、ＡＡＢＢ、ＡＢＢＡなどのように多様な形態の組み合わせでＦＤＭしてＰＳＳシーケンスを転送する方法も考慮することができる。
【０２１８】
前記例示の場合、各ＺＣシーケンスに対してカバーコードを適用して相関性能を高めることができるという長所がある。
【０２１９】
このとき、前述したようなＰＳＳは、セル識別子検出のためのシーケンス候補を１つ又は３つなど有することができる。ＰＳＳシーケンス候補が３つである場合、候補別に前述した方法によって相異なるルートインデックスが設定される必要がある。これと異なり、ＰＳＳシーケンス候補が１つである場合、ＳＳＳシーケンスは、前述した全体セル識別子を区分するための方式（すなわち、ＳＳＳシーケンスの総候補数が全セル識別子と同一に設定される方式）に基づいて生成（又は、設定）できる。
【０２２０】
図９は、本明細書で提案する方法が適用できる同期信号の転送方法のさらに他の例を示す。図９は、単に説明の便宜のためのものに過ぎず、本発明の範囲を制限するものではない。
【０２２１】
図９に示すように、ＰＳＳ転送のためにルートインデックスが異なるように設定された２種類のＺＣシーケンス（ルートインデックス７のＺＣシーケンス及びルートインデックス１０のＺＣシーケンス）が用いられる場合が仮定される。ここで、前記ＺＣシーケンスの長さは１７に設定される。
【０２２２】
４つのＺＣシーケンス（すなわち、１種類のＺＣシーケンス当たりに２つずつ用いられる）は、前述したようにＦＤＭ方式により資源領域にマッピングされる。この場合、ＰＳＳ、すなわち、４つのＺＣシーケンスに対してカバーコード［1,  1,  -1,  1］が適用できる。また、ＰＳＳの一端とＳＳＳの両端にはガード領域のためのゼロパディングが実行できる。また、図９に示すように、ＦＤＭされる長さ１７のシーケンスに対するルートインデックスは、［7,  10,  7,  10］に設定できる。
【０２２３】
また、前記したようなＰＳＳシーケンスに関連して、ＺＣシーケンスに対するルートインデックス（すなわち、ＺＣシーケンスの生成のためのルートインデックス）は、生成されるＺＣシーケンス間に複素共役（complex  conjugate）関係を有するように選択できる。すなわち、ＺＣシーケンスの長さがＮＺＣである場合、ＺＣシーケンスは（ＮＺＣ−１）／２−ｍと（ＮＺＣ−１）／２＋ｍ＋１の組み合わせで選択できる。ここで、ｍは０を含み、０より大きく（ＮＺＣ−１）／２より小さい整数を意味する。このようなルートインデックス選択方法は、ＰＳＳ設計のデュプレックスモード（duplex  mode）に関係なく適用できる。
【０２２４】
また、図８において前述したように、ＰＳＳに関連して、６０ｋＨｚのサブキャリア間隔を有するそれぞれのＯＦＤＭシンボルにダウンスケーリングされたＣＰが設定される。これとは異なり（すなわち、それぞれのＯＦＤＭシンボルにダウンスケーリングされたＣＰが取り付くことではない）、１５ｋＨｚのサブキャリア間隔を有するＯＦＤＭシンボルに用いられるＣＰ長に該当する１つの（すなわち、単一の）ＣＰを生成し、生成された１つのＣＰを４つのＯＦＤＭシンボルの前部に取り付ける（又は、設定する）方法を考慮することができる。これに対する例示は図１０のようである。
【０２２５】
図１０は、本明細書で提案する方法が適用できる同期信号の転送方法のさらに他の例を示す。図１０は、単に説明の便宜のためのものに過ぎず、本発明の範囲を制限するものではない。
【０２２６】
図１０に示すように、ＰＳＳ転送のためにルートインデックスが異なるように設定された２種類のＺＣシーケンス（ルートインデックス７のＺＣシーケンス及びルートインデックス１０のＺＣシーケンス）が用いられる場合が仮定される。ここで、前記ＺＣシーケンスの長さは１７に設定される。
【０２２７】
このとき、ＰＳＳは６０ｋＨｚのサブキャリア間隔に該当する４つのシンボルを通じて転送され、この場合、４つのシンボル間にはＣＰ区間が割り当てられない。代わりに、連続する４つのシンボルの前部に１５ｋＨｚのサブキャリア間隔に該当するＣＰが位置する。
【０２２８】
このような配置（すなわち、ＣＰ長及び位置をデフォルトサブキャリア間隔の場合と一致させた配置）により、ＰＳＳが転送されない他の帯域（band）に転送されるデータ信号との多重化（multiplexing）を支援できるという長所がある。ここで、前記ＰＳＳはデフォルトサブキャリア間隔のＮ倍（例えば、Ｎ＝４）に該当するサブキャリア間隔（例えば、６０ｋＨｚのサブキャリア間隔）を利用するように設定され、データ信号はデフォルトサブキャリア間隔（例えば、１５ｋＨｚ）を利用するように設定できる。
【０２２９】
また、前述したモデルの生成方式は以下のように説明できる。すなわち、デフォルトサブキャリア間隔のＮ倍に該当するサブキャリア間隔を利用する同期信号（例えば、ＰＳＳ）に対してデフォルトサブキャリア間隔に該当するＣＰ長を利用する場合においての、同期信号設定（または、同期信号マッピング方式）は次の例示のように実行されることもできる。そのとき、最初のＮ個のＯＦＤＭシンボルが繰り返して設定される場合が仮定される。
【０２３０】
例えば、デフォルトサブキャリア間隔（例えば、１５ｋＨｚ）で設定された単一のＯＦＤＭシンボル（single  OFDM  symbol）に対して、周波数領域（frequency  domain）を基準に、Ｎ個のＲＥ毎に情報をマッピングし、残りのＮ−１個のＲＥには０を挿入してコンブ型のシンボル（comb  type  symbol）を生成できる。この後、ＮＩＦＦＴサイズでＩＦＦＴ（Inverse  Fast  Fourier  Transform）を実行して生成された時間領域シーケンス（time  domain  sequence）をＮ等分してＮＩＦＦＴ／Ｎ長さの時間領域シーケンスが生成（取得）できる。
【０２３１】
このとき、図９において前述したように、複素共役関係を有するルートインデックス値を利用したような効果を得るために、最初のＮＩＦＦＴ／Ｎ長さの領域（すなわち、Ｎ個のＯＦＤＭシンボルのうち１番目のＯＦＤＭシンボル）にはＮ等分された時間領域シーケンスが挿入され、その次のＮＩＦＦＴ／Ｎ長さの領域にはＮ等分された時間領域シーケンスの複素共役値として設定された時間領域シーケンスが挿入されるように設定できる。長さがＮＩＦＦＴになるまで前述した動作を繰り返して行って、最終的な時間領域のシーケンスが生成できる。すなわち、最終的に、ＮＩＦＦＴ長さの時間領域シーケンスが生成されるまで前述した動作が繰り返される。
【０２３２】
この後、当該時間領域シーケンスがマッピングされたシンボルの前部にデフォルトサブキャリア間隔を有するＯＦＤＭシンボルで用いられるＣＰ長に該当する１つの（すなわち、単一の）ＣＰを挿入して（取り付け（attach）により）、最終的な時間領域ＯＦＤＭシンボル（すなわち、最終的な時間領域ＯＦＤＭシンボル構造）が完成できる。
【０２３３】
前記例示に対して具体的な数字を代入すると以下のようである。同期信号の転送帯域幅として１．０８ＭＨｚを利用し、７２個のＲＥに対して４回の繰り返し（repetition）を考慮する場合、４つのＲＥ毎に長さ１７に設定されたＺＣシーケンスが挿入され、残りの３つのＲＥには「０」が挿入されるように設定できる。ここで、長さ１７は７２を４で割った値（すなわち、１８）より小さいか同一の数のうち最も大きい奇数（odd）に該当する長さを意味する。
【０２３４】
この後、５１２ＩＦＦＴサイズでＩＦＦＴを行った後、５１２長さを４等分して１２８長さの時間領域シーケンスが取得できる。この後、最初の１２８長さの領域（すなわち、１２８長さの時間領域シーケンスがマッピングできる最初の領域、４つのＯＦＤＭシンボルのうち１番目のＯＦＤＭシンボル）に前記の４等分された時間領域シーケンスが挿入され、その次の領域には、前記の４等分された時間領域シーケンスの複素共役値として設定された時間領域シーケンスが挿入されるように設定できる。このような動作をさらに２回繰り返して、総５１２長の時間領域シーケンスが生成できる。この後、４０又は３６長さのＣＰを挿入して最終的な時間領域ＯＦＤＭシンボルが完成できる。
【０２３５】
または、他の例として、デフォルトサブキャリア間隔（例えば、１５ｋＨｚ）のＮ倍スケーリングされたサブキャリア間隔を用いるＯＦＤＭシンボルに対して、周波数領域を基準に、ＲＥ毎にデータを挿入して前述したモデルを生成する方式を考慮することもできる。ＲＥ毎にデータが挿入された後、ＮＩＦＦＴ／Ｎ  のサイズでＩＦＦＴを行って、ＮＩＦＦＴ／Ｎ長さの時間領域シーケンスが生成（取得）できる。
【０２３６】
このとき、図９において前述したように、複素共役関係を有するルートインデックス値を利用したような効果を得るために、最初のＮＩＦＦＴ／Ｎ長さの領域には前記生成された（すなわち、最初生成された）時間領域シーケンスが挿入され、その次のＮＩＦＦＴ／Ｎ長さの領域には前記生成された時間領域シーケンスの複素共役値として設定された時間領域シーケンスが挿入されるように設定できる。長さがＮＩＦＦＴになるまで前述した動作を繰り返して行って、最終的な時間領域のシーケンスが生成できる。すなわち、ＮＩＦＦＴ長さの時間領域シーケンスが生成されるまで、前述した動作が繰り返される。
【０２３７】
この後、当該時間領域シーケンスがマッピングされたシンボルの前部にデフォルトサブキャリア間隔を有するＯＦＤＭシンボルで用いられるＣＰ長に該当する１つのＣＰを挿入して、最終的な時間領域ＯＦＤＭシンボル（すなわち、最終的な時間領域ＯＦＤＭシンボル構造）が完成できる。
【０２３８】
前記例示に対して具体的な数字を代入すると以下のようである。同期信号の転送帯域幅として１．０８ＭＨｚが考慮される場合、１８個のＲＥに長さ１７に設定されたＺＣシーケンスが挿入（又は、マッピング）され、残りの１つのＲＥに「０」が挿入されるように設定できる。このとき、奇数長（odd  length）として１７が選択された場合が仮定される。
【０２３９】
この後、１２８ＩＦＦＴサイズでＩＦＦＴを行って、１２８長さの時間領域シーケンスが取得できる。この後、最初の１２８長の領域（すなわち、１２８長さの時間領域シーケンスがマッピングできる最初の領域）に前記生成された時間領域シーケンスがそのまま挿入され、その次の領域には前記生成されたシーケンスの複素共役値として設定された時間領域シーケンスが挿入されるように設定できる。このような動作を２回さらに繰り返して、総５１２長さの時間領域シーケンスが生成できる。この後、４０又は３６長さのＣＰを挿入して最終的な時間領域ＯＦＤＭシンボルが完成できる。
【０２４０】
また、前述した明細書で提案する方法に利用されたカバーコードは、［1,  1,  1,  1,  1］のようにカバーコードを適用しない場合と同一の形態に設定されることもできる。
【０２４１】
また、前述した明細書で提案する方法は、同期帯域幅（sync  bandwidth）（すなわち、同期信号に対する転送帯域幅）が約１ＭＨｚ（すなわち、１．０８ＭＨｚ）である場合を仮定して長さ（すなわち、シーケンスの長さ）を設定した。しかしながら、これは説明の便宜のためのものに過ぎず、同期の帯域幅がＫ  ＭＨｚに増加しても、シーケンスの長さをＬ倍拡張して（すなわち、スケーラブルに（scalable）調整して）前述した方法が適用できるのは言うまでもない。例えば、同期の帯域幅が約５ＭＨｚ（例えば、４．３２ＭＨｚ）に設定される場合も、シーケンスの長さを４倍（すなわち、４．３２／１．０８＝４倍）長く設定して本明細書で提案する方法を同一の方式で適用できる。
【０２４２】
また、前述した本明細書で提案する方法は、６ＧＨｚ以下の帯域だけでなく、６ＧＨｚ以上帯域（above  6GHz  帯域）（例えば、３０ＧＨｚ、４０ＧＨｚなど）でも適用できる。また、デフォルトヌメロロジーは基準ヌメロロジー（reference  numerology）、特定周波数帯域で利用されるヌメロロジーなどで表現できる。また、デフォルトヌメロロジーが変更されてもシーケンスの長さは一定であり、サブキャリア間隔に合わせてスケーリング可能な転送帯域幅を有すると設定できる。
【０２４３】
図１１は、明細書で提案する方法が適用できる同期信号の送受信により同期化を行う端末の動作手順図を示す。図１１は、単に説明の便宜のためのものに過ぎず、本発明の範囲を制限するものではない。
【０２４４】
図１１を参照すると、端末は同期信号に対して予め設定された帯域幅で同期信号をモニタする場合が仮定される。
【０２４５】
段階Ｓ１１０５で、端末は基地局からＰＳＳ及びＳＳＳを受信する。この場合、前記ＰＳＳ及び前記ＳＳＳは、前述した方法で受信できる。すなわち、端末は、ＰＳＳに対するシーケンス（すなわち、前述したＰＳＳシーケンス）がマッピングされた資源要素及びＳＳＳに対するシーケンス（すなわち、前述したＳＳＳシーケンス）がマッピングされた資源要素を利用してＰＳＳ及びＳＳＳを受信することができる。このとき、ＰＳＳに対するシーケンス及びＳＳＳに対するシーケンスは、前述した方法で生成（又は、設定）できる。
【０２４６】
このとき、前記ＳＳＳに対するシーケンスは、第１シーケンスと第２シーケンスとの積により生成される。ここで、前記第１シーケンスの数（すなわち、ＳＳＳシーケンス生成に用いられる第１シーケンスの候補数）は、前記第２シーケンスの数（すなわち、ＳＳＳシーケンス生成に用いられる第２シーケンスの候補数）より大きく設定される。
【０２４７】
また、ＳＳＳに対するシーケンスの数（すなわち、生成可能なＳＳＳシーケンスの数、ＳＳＳシーケンスの候補数）は、セル識別子（例えば、物理層セル識別子）の数（例えば、１００８）と同一に設定される。このとき、前記セル識別子の数は前記第１シーケンスの数と前記第２シーケンスの数との積と同一に設定される。
【０２４８】
また、前記第１シーケンスと前記第２シーケンスとの積は、前述したように、前記第１シーケンスの各要素と前記第２シーケンスの各要素との積でありうる。
【０２４９】
また、前述したように、前記第１シーケンスの長さ及び前記第２シーケンスの長さは、それぞれ前記ＳＳＳに対するシーケンスの長さと同一でありうる。すなわち、ＳＳＳシーケンスは、ＳＳＳシーケンスと同一長さの２つのシーケンス（すなわち、長いシーケンス）の積により生成される。この場合、前記第１シーケンス及び前記第２シーケンスのいずれか１つはＭシーケンスでありうる。このとき、前記Ｍシーケンスは、特定の初期値（例えば、［0  0  0  0  0  0  1］）及び特定循環シフトに基づいて生成できる。すなわち、前記Ｍシーケンスは、特定の初期値を有する多項式及び一定の条件を満たす循環シフトを利用して生成できる。
【０２５０】
また、ＰＳＳに対するシーケンスのための多項式は、前記第１シーケンスのための第１多項式と前記第２シーケンスのための第２多項式のうちいずれか１つと同一に設定できる。例えば、ＳＳＳシーケンスを生成するための多項式がｘ０（ｎ）及びｘ１（ｎ）で表現され、ＰＳＳシーケンスを生成するための多項式がｘ（ｎ）で表現される場合、ｘ（ｎ）はｘ０（ｎ）と同一に設定できる。ただ、この場合も、前述したように、多項式の初期値は相異なるように設定できる。
【０２５１】
また、図８に示すように、前記ＳＳＳはＰＢＣＨと連続して受信され、前記ＳＳＳに適用されるＣＰと前記ＰＢＣＨに適用されるＣＰは同一に設定できる。
【０２５２】
本発明が適用できる装置一般
【０２５３】
図１２は、本明細書で提案する方法が適用できる無線通信装置のブロック構成図を示す。
【０２５４】
図１２を参照すると、無線通信システムは、基地局１２１０と基地局１２１０領域内に位置する多数の端末１２２０とを含む。
【０２５５】
基地局１２１０は、プロセッサ（processor）１２１１、メモリ（memory）１２１２、及びＲＦ部（radio  frequency  unit）１２１３を含む。プロセッサ１２１１は、図１ないし図１１で提案された機能、過程及び／又は方法を実現する。無線インターフェースプロトコルの階層はプロセッサ１２１１により実現できる。メモリ１２１２はプロセッサ１２１１と接続され、プロセッサ１２１１を駆動するための多様な情報を保存する。ＲＦ部１２１３はプロセッサ１２１１と接続され、無線信号を送信及び／又は受信する。
【０２５６】
端末１２２０は、プロセッサ１２２１、メモリ１２２２、及びＲＦ部１２２３を含む。
【０２５７】
プロセッサ１２２１は、図１ないし図１１で提案された機能、過程及び／又は方法を実現する。無線インターフェースプロトコルの階層はプロセッサ１２２１により実現できる。メモリ１２２２はプロセッサ１２２１と接続され、プロセッサ１２２１を駆動するための多様な情報を保存する。ＲＦ部１２２３はプロセッサ１２２１と接続され、無線信号を送信及び／又は受信する。
【０２５８】
メモリ１２１２、１２２２は、プロセッサ１２１１、１２２１の内部または外部に位置することができ、周知の多様な手段でプロセッサ１２１１、１２２１と接続される。
【０２５９】
一例として、低遅延（low  latency）サービスを支援する無線通信システムにおいてダウンリンクデータ（DL  data）を送受信するために、端末は無線信号を送受信するためのＲＦ（Radio  Frequency）ユニット、及び前記ＲＦユニットと機能的に接続されるプロセッサを含むことができる。
【０２６０】
また、基地局１２１０及び／又は端末１２２０は１つのアンテナ（single  antenna）又は多重アンテナ（multiple  antenna）を有することができる。
【０２６１】
図１３は、本発明の一実施形態による通信装置のブロック構成図を示す。
【０２６２】
特に、図１３は、図８の端末をより詳細に示す。
【０２６３】
図１３を参照すると、端末はプロセッサ（又は、デジタル信号プロセッサ（ＤＳＰ:  digital  signal  processor）１３１０、ＲＦモジュール（または、ＲＦユニット）１３３５、パワー管理モジュール（power  management  module）１３０５、アンテナ１３４０、バッテリー１３５５、ディスプレイ１３１５、キーパッド１３２０、メモリ１３３０、シムカード（SIM（Subscriber  Identification  Module）  card）１３２５（この構成は選択的である)、スピーカー１３４５、及びマイクロホン１３５０を含んで構成できる。また、端末は、単一のアンテナまたは多重のアンテナを含むことができる。
【０２６４】
プロセッサ１３１０は、前述した図１ないし図１１で提案された機能、過程及び／又は方法を実現する。無線インターフェースプロトコルの階層はプロセッサ１３１０により実現できる。
【０２６５】
メモリ１３３０は、プロセッサ１３１０と接続され、プロセッサ１３１０の動作に関連する情報を保存する。メモリ１３３０は、プロセッサ１３１０の内部または外部に位置することができ、周知の多様な手段でプロセッサ１３１０と接続される。
【０２６６】
ユーザは、例えば、キーパッド１３２０のボタンを押すか（又は、タッチするか）、又は、マイクロホン１３５０を用いた音声駆動（voice  activation）により電話番号などの命令情報を入力する。プロセッサ１３１０は、このような命令情報を受信し、電話番号で電話をかけるなどの適切な機能を実行するように処理する。駆動上のデータ（operational  data）はシムカード１３２５又はメモリ１３３０から抽出できる。また、プロセッサ１３１０は、ユーザの認知及び便宜のために命令情報または駆動情報をディスプレイ１３１５上に表示することができる。
【０２６７】
ＲＦモジュール１３３５は、プロセッサ１３１０に接続されて、ＲＦ信号を送信及び／又は受信する。プロセッサ１３１０は、通信を開始するために、例えば、音声通信データを構成する無線信号を転送するように命令情報をＲＦモジュール１３３５に伝達する。ＲＦモジュール１３３５は、無線信号を受信および送信するために受信機（receiver）および送信機（transmitter）から構成される。アンテナ１３４０は、無線信号を送信および受信する機能を果たす。無線信号を受信するとき、ＲＦモジュール１３３５はプロセッサ１３１０により処理するために信号を伝達し、基底帯域に信号を変換することができる。処理された信号はスピーカー１３４５を通じて出力される可聴または可読情報に変換できる。
【０２６８】
以上で説明された実施形態は本発明の構成要素と特徴が所定の形態に結合されたものである。各構成要素または特徴は別途の明示的な言及がない限り、選択的なものとして考慮されなければならない。各構成要素または特徴は他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替できる。特許請求範囲で明示的な引用関係がない請求項を結合して実施形態を構成するか、または出願後の補正により新たな請求項に含めることができることは自明である。
【０２６９】
本発明に従う実施形態は、多様な手段、例えば、ハードウェア、ファームウエア（firmware）、ソフトウェア、またはそれらの結合などにより具現できる。ハードウェアによる具現の場合、本発明の一実施形態は１つまたはその以上のＡＳＩＣｓ（application  specific  integrated  circuits）、ＤＳＰｓ（digital  signal  processors）、ＤＳＰＤｓ（digital  signal  processing  devices）、ＰＬＤｓ（programmable  logic  devices）、ＦＰＧＡｓ（field  programmable  gate  arrays）、プロセッサ、コントローラー、マイクロコントローラー、マイクロプロセッサなどにより具現できる。
【０２７０】
ファームウエアやソフトウェアによる具現の場合、本発明の一実施形態は以上で説明された機能または動作を遂行するモジュール、手続、関数などの形態に具現できる。ソフトウェアコードはメモリに格納されてプロセッサにより駆動できる。前記メモリは前記プロセッサの内部または外部に位置し、既に公知された多様な手段により前記プロセッサとデータをやり取りすることができる。
【０２７１】
本発明は本発明の必須的な特徴を逸脱しない範囲で他の特定の形態に具体化できることは通常の技術者に自明である。従って、前述した詳細な説明は全ての面で制限的に解釈されてはならず、例示的なものとして考慮されなければならない。本発明の範囲は添付した請求項の合理的な解釈により決定されなければならず、本発明の等価的な範囲内での全ての変更は本発明の範囲に含まれる。
【産業上の利用可能性】
【０２７２】
本発明の無線通信システムにおいて、同期信号を送受信する法案は、３ＧＰＰ  ＬＴＥ／ＬＴＥ−Ａシステム、５Ｇシステム（New  RAT  システム）に適用される例を中心に説明しているが、それ以外にも多様な無線通信システムに適用することが可能である。
【図１】
2019528591.tif 000077
【図２】
2019528591.tif 000078
【図３】
2019528591.tif 000079
【図４】
2019528591.tif 000080
【図５】
2019528591.tif 000081
【図６】
2019528591.tif 000082
【図７】
2019528591.tif 000083
【図８】
2019528591.tif 000084
【図９】
2019528591.tif 000085
【図１０】
2019528591.tif 000086
【図１１】
2019528591.tif 000087
【図１２】
2019528591.tif 000088
【図１３】
2019528591.tif 000089
【手続補正書】
【提出日】平成31年2月22日(2019.2.22)
【手続補正１】
【補正対象書類名】明細書
【補正対象項目名】００３０
【補正方法】変更
【補正の内容】
【００３０】
【図１】本明細書で提案する方法が適用できるＮＲの全体的なシステム構造の一例を示したである。
【図２】本明細書で提案する方法が適用できる無線通信システムにおけるアップリンクフレームとダウンリンクフレームとの間の関係を示す。
【図３】本明細書で提案する方法が適用できる無線通信システムで支援する資源グリッド（resource  grid）の一例を示す。
【図４】本明細書で提案する方法が適用できるアンテナポート及びヌメロロジー別の資源グリッドの例を示す。
【図５】本明細書で提案する方法が適用できる自己完結型（self-contained）サブフレーム構造の一例を示す。
【図６】本明細書で提案する方法が適用できる同期信号の転送方法の一例を示す。
【図７】本明細書で提案する方法が適用できる同期信号の転送方法の他の例を示す。
【図８】本明細書で提案する方法が適用できる同期信号の転送方法のさらに他の例を示す。
【図９】本明細書で提案する方法が適用できる同期信号の転送方法のさらに他の例を示す。
【図１０】本明細書で提案する方法が適用できる同期信号の転送方法のさらに他の例を示す。
【図１１】本明細書で提案する方法が適用できる同期信号の送受信により同期化を行う端末の動作フローチャートを示す。
【図１２】本明細書で提案する方法が適用できる無線通信装置のブロック構成図を示す。
【図１３】本明細書で提案する方法が適用できる通信装置のブロック構成図を示す。
【手続補正２】
【補正対象書類名】明細書
【補正対象項目名】０１４３
【補正方法】変更
【補正の内容】
【０１４３】
初期取得の場合、ＴＲＰ（Transmission  and  Reception  Point）は均一分布（uniform  distribution）基準＋／−０．０５ｐｐｍが考慮され、端末（ＵＥ）は均一分布基準＋／−５、１０、２０ｐｐｍが考慮される。これとは異なり、非初期取得の場合、ＴＲＰは均一分布基準＋／−０．０５ｐｐｍが考慮され、端末（ＵＥ）は均一分布基準＋／−０．１ｐｐｍ  が考慮される。このとき、初期取得で考慮される５ｐｐｍ、１０ｐｐｍ、及び２０ｐｐｍを用いてキャリア周波数値に応じて周波数オフセット値を算出すると、以下の表５の通りである。
【手続補正３】
【補正対象書類名】明細書
【補正対象項目名】０１５２
【補正方法】変更
【補正の内容】
【０１５２】
次に、同期信号のための帯域幅に関する内容について説明する。既存のＬＴＥシステム（すなわち、レガシーＬＴＥシステム）の同期信号に利用された帯域幅は１．０８ＭＨｚである。もし、ＮＲシステムにおいて、既存のＬＴＥシステムのサブキャリア間隔値より大きい値のサブキャリア間隔が設定されると、同期信号のためにさらに広い帯域幅が用いられる。ただ、受信すべき帯域幅が広くなることにつれて端末の算出複雑度（calculation  complexity）が増加する可能性がある。従って、算出複雑度を増加させないために、ＮＲシステムの同期信号のために用いられる帯域幅はＬＴＥシステムの場合と類似して維持されることが好ましい。
【手続補正４】
【補正対象書類名】特許請求の範囲
【補正対象項目名】全文
【補正方法】変更
【補正の内容】
【特許請求の範囲】
【請求項１】
無線通信システムにおいて端末が同期化を行う方法であって、
基地局から、プライマリー同期信号（ＰＳＳ）及びセカンダリー同期信号（ＳＳＳ）を受信するステップと、
前記受信されたＰＳＳ及び前記受信されたＳＳＳを利用して同期化を行うステップと、を含み、
前記ＳＳＳに対するシーケンスは、第１シーケンスと第２シーケンスとの積により生成され、
前記第１シーケンスの数は、前記第２シーケンスの数より大きく設定され、
前記第１シーケンスの長さ及び前記第２シーケンスの長さは、それぞれ前記ＳＳＳに対するシーケンスの長さと同一であり、
前記ＰＳＳ及び前記ＳＳＳと関連するＰＢＣＨに対するサブキャリア間隔は、前記ＰＳＳ及び前記ＳＳＳに対するサブキャリア間隔と同一に設定される、方法。
【請求項２】
前記ＳＳＳに対するシーケンスの数は、セル識別子の数と同一に設定される、請求項１に記載の方法。
【請求項３】
前記セル識別子の数は、前記第１シーケンスの数と前記第２シーケンスの数との積と同一である、請求項２に記載の方法。
【請求項４】
前記第１シーケンスと前記第２シーケンスとの積は、前記第１シーケンスの各要素と前記第２シーケンスの各要素との積である、請求項２に記載の方法。
【請求項５】
前記第１シーケンス及び前記第２シーケンスのいずれか１つは、Ｍシーケンスである、請求項１に記載の方法。
【請求項６】
前記Ｍシーケンスは、特定の初期値及び特定の循環シフトに基づいて生成される、請求項５に記載の方法。
【請求項７】
前記ＰＳＳに対するシーケンスのための多項式は、前記第１シーケンスのための第１多項式と前記第２シーケンスのための第２多項式のうちいずれか１つと同一に設定される、請求項２に記載の方法。
【請求項８】
前記ＰＳＳに対するシーケンスのための多項式がｘ（ｎ）である場合、ｘ（０）は０で、ｘ（１）は１で、ｘ（２）は１で、ｘ（３）は０で、ｘ（４）は１で、ｘ（５）は１で、ｘ（６）は１であり、
前記第１多項式がｘ０（ｎ）である場合、ｘ０（０）は1で、ｘ０（１）は０で、ｘ０（２）は０で、ｘ０（３）は０で、ｘ０（４）は０で、ｘ０（５）は０で、ｘ０（６）は０であり、
前記第２多項式がｘ１（ｎ）である場合、ｘ１（０）は１で、ｘ１（１）は０で、ｘ１（２）は０で、ｘ１（３）は０で、ｘ１（４）は０で、ｘ１（５）は０で、ｘ１（６）は０である、請求項７に記載の方法。
【請求項９】
前記ＳＳＳは、ＰＢＣＨと連続して受信され、
前記ＳＳＳに適用される巡回プレフィックスは、前記ＰＢＣＨに適用される巡回プレフィックスと同一に設定される、請求項５に記載の方法。
【請求項１０】
無線通信システムにおいて同期化を行う端末であって、
無線信号を送受信するための送受信部と、
前記送受信部と機能的に接続されているプロセッサと、を含み、
前記プロセッサは、
基地局から、プライマリー同期信号（ＰＳＳ）及びセカンダリー同期信号（ＳＳＳ）を受信し、
前記受信されたＰＳＳ及び前記受信されたＳＳＳを利用して同期化を行うように制御し、
前記ＳＳＳに対するシーケンスは、第１シーケンスと第２シーケンスとの積により生成され、
前記第１シーケンスの数は、前記第２シーケンスの数より大きく設定され、
前記第１シーケンスの長さ及び前記第２シーケンスの長さは、それぞれ前記ＳＳＳに対するシーケンスの長さと同一であり、
前記ＰＳＳ及び前記ＳＳＳと関連するＰＢＣＨに対するサブキャリア間隔は、前記ＰＳＳ及び前記ＳＳＳに対するサブキャリア間隔と同一に設定される、端末。
【請求項１１】
前記ＳＳＳに対するシーケンスの数は、セル識別子の数と同一に設定される、請求項１０に記載の端末。
【請求項１２】
前記セル識別子の数は、前記第１シーケンスの数と前記第２シーケンスの数との積と同一である、請求項１１に記載の端末。
【請求項１３】
前記第１シーケンスと前記第２シーケンスとの積は、前記第１シーケンスの各要素と前記第２シーケンスの各要素との積である、請求項１１に記載の端末。
【請求項１４】
前記第１シーケンス及び前記第２シーケンスのいずれか１つは、Ｍシーケンスである、請求項１０に記載の端末。
【国際調査報告】
2019528591.tif 000090
2019528591.tif 000091
2019528591.tif 000092
2019528591.tif 000093
2019528591.tif 000094
2019528591.tif 000095